(57)【要約】      （修正有）【課題】多機能読書装置を提供する。【解決手段】取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバ１２４が設置され、前記電磁作動チャンバの一つの側壁の中には電磁石１２５が設置され、取り換え機構により伝達される動力を断続的に伝達でき、カム１１８を設置することで最後までページをめくると最初の位置へ復帰でき、読んでいる時に本が落下することを防止でき、また装置全体が軽くて他のデスクや本棚と合致することができ、占用する空間が小さく、読みやすい。【選択図】図１
2020168344.tif 000002
【特許請求の範囲】
【請求項１】
取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバが設置され、前記電磁作動チャンバの一つの側壁の中には電磁石が設置され、前記電磁石と、前記電磁作動チャンバと前記制御作動チャンバとの間にスライドできるように係合し取り付けられる永久磁石とが吸引し合い、前記制御作動チャンバの中に回転できるように係合し取り付けられる第二クラッチを前記第一クラッチと噛合させ、前記第一モーターが前記第一クラッチと前記第二クラッチとを駆動し回転させ、一周回転した後、前記永久磁石と前記電磁石とが吸引し合わなくなり、これにより前記第二クラッチと前記第一クラッチとが噛み合わずに伝動を絶え、前記取り換え機構の右側にはページめくり機構が設置され、前記ページめくり機構がスイングカムを含み、前記スイングカムが回転して前記スイングカムとスライドできるように係合し取り付けられる揺動リンクをスイングさせ、前記ページめくり機構がまた反転作動筐体とめくり軸支持ブロックを含み、前記揺動リンクがスイングし前記反転作動筐体と前記めくり軸支持ブロックとを共にスイングさせ、前記反転作動筐体と前記めくり軸支持ブロックとの間にはめくりチューブが回転できるように係合し取り付けられ、前記めくりチューブが前記反転作動筐体の内部に固定的に取り付けられる第二モーターにより駆動されて回転し、前記取り換え機構の上側には挟み機構が設置され、前記挟み機構がプッシュカムと第二挟み連接棒とを含み、これにより前記プッシュカムを駆動して回転させて前記第一伝動作動チャンバを駆動し上下に移動させ、前記第一伝動作動チャンバが上下に移動し第一挟み連接棒をスイングさせ、前記第一挟み連接棒がクリップを駆動し上下に移動させることを特徴とする多機能読書装置。
【請求項２】
前記取り換え機構が装置筐体を含み、前記装置筐体の中にはメイン伝動作動チャンバが設置され、前記メイン伝動作動チャンバの前側内壁の中には前記第一モーターが固定的に取り付けられ、前記第一モーターの後側出力軸の後側端面がメイン伝動軸と固定的に連結され、前記メイン伝動軸の後側端面にはメイン伝動歯車が固定的に取り付けられ、前記メイン伝動作動チャンバの後側には前記制御作動チャンバが設置され、前記メイン伝動作動チャンバの前後内壁の間には前記制御作動チャンバの前側内壁を貫通する第一伝動軸が回転できるように係合し取り付けられ、前記第一伝動軸には滑り歯車が固定的に取り付けられ、前記滑り歯車と前記メイン伝動歯車とが噛合し、前記第一伝動軸の後側端面には前記第一クラッチが固定的に取り付けられ、前記第一伝動軸において前記第一クラッチの前側端面にはばね支持ブッシングがスライドできるように係合し取り付けられ、前記ばね支持ブッシングにはスライドブッシングがスライドできるように係合し取り付けられ、前記スライドブッシングが前記装置筐体と回転できるように係合され、前記制御作動チャンバの後側には前記第一伝動作動チャンバが設置され、前記第一伝動作動チャンバの前後内壁の間には前記制御作動チャンバの後側内壁を貫通する第二伝動軸が回転できるように係合し取り付けられ、前記第二伝動軸の前側端面には前記第二クラッチが固定的に取り付けられ、前記第二クラッチが前記第一クラッチと噛合でき、前記伝動噛合作動チャンバには前記第二クラッチが設置され、前記伝動噛合作動チャンバの中には前記第二クラッチの前側端面を貫通する支えヘッドがスライドできるように係合し取り付けられ、前記支えヘッドの凸台の前側端面と前記第二クラッチの後側内壁との間には第一スラストスプリングが固定的に取り付けられ、前記制御作動チャンバの左右両側には前記電磁作動チャンバが対称的に設置され、左側の前記電磁作動チャンバに蓄電池が設置され、前記電磁作動チャンバの一つの側壁の中には制御プッシュヘッドがスライドできるように取り付けられ、前記制御プッシュヘッドの一つの側には前記永久磁石が固定的に取り付けられ、前記永久磁石の一つの側には第二スラストスプリングが固定的に取り付けられ、前記第二スラストスプリングの一つの側には前記電磁石が固定的に取り付けられ、前記第二伝動軸には第一プーリが固定的に取り付けられ、前記第一伝動作動チャンバの前側には第二伝動作動チャンバが設置され、前記第二伝動作動チャンバと前記第一伝動作動チャンバとの間には第一カム軸が回転できるように係合し取り付けられ、前記第一カム軸には第二プーリが固定的に取り付けられ、前記第二プーリと前記第一プーリとの間には第一ベルトが取り付けられ、前記第一カム軸のうち前記第二プーリの後側端面には第三プーリが固定的に取り付けられ、前記第一カム軸のうち前記第二伝動作動チャンバの中にはスイングカムが固定的に取り付けられることを特徴とする請求項１に記載の多機能読書装置。
【請求項３】
前記ページめくり機構は前記第二伝動作動チャンバの前後内壁の間に回転できるように係合し取り付けられ、且つ前記装置筐体の前後端面を貫通する揺動リンク軸を含み、前記揺動リンク軸にはスイングロッドが固定的に取り付けられ、前記スイングロッドの右側末端には移動連接棒がヒンジで取り付けられ、前記移動連接棒の下側末端には前記揺動リンクがヒンジで取り付けられ、前記第二伝動作動チャンバの底壁には回転ヒンジ連結台が固定的に取り付けられ、前記回転ヒンジ連結台と前記揺動リンクとがヒンジで係合され、前記揺動リンクの左側末端にはスライドローラーがヒンジで取り付けられ、前記スライドローラーと前記スイングカムとがスライドできるように係合され、前記揺動リンク軸の前側端面には支持スイングアームが固定的に取り付けられ、前記支持スイングアームの頂端の後側端面には前記めくり軸支持ブロックが固定的に取り付けられ、前記揺動リンク軸の後側端面にはスイングアームが固定的に取り付けられ、前記スイングアームの頂部の前側端面には前記反転作動筐体がスライドできるように係合し取り付けられ、前記スイングアームの中にはスライド作動チャンバが設置され、前記反転作動筐体の頂部端面と前記スライド作動チャンバの頂壁の中には第三スラストスプリングが固定的に取り付けられ、前記反転作動筐体の中にはめくり伝動作動チャンバが設置され、前記めくり伝動作動チャンバの後側内壁の中には第二モーターが固定的に取り付けられ、前記第二モーターの前側出力軸の前側端面にはめくりメイン伝動軸が固定的に連結され、前記めくりメイン伝動軸の前側端面にはめくりメイン伝動歯車が固定的に取り付けられ、前記反転作動筐体と前記めくり軸支持ブロックとの間には前記めくり伝動作動チャンバの前側内壁を貫通するめくり軸が左右対称的に回転できるように係合し取り付けられ、左右の前記めくり軸の後側端面にはめくり伝動歯車が左右対称的に固定的に取り付けられ、左右の前記めくり伝動歯車と前記めくりメイン伝動歯車とが噛合し、左右の前記めくり軸には前記めくりチューブが固定的に取り付けられることを特徴とする請求項１に記載の多機能読書装置。
【請求項４】
前記挟み機構が前記第一伝動作動チャンバの上方に位置する第三伝動作動チャンバを含み、前記第三伝動作動チャンバの前後側端面には第二カム軸が回転できるように係合し取り付けられ、前記第二カム軸には第四プーリが固定的に取り付けられ、前記第四プーリと前記第三プーリとの間には第二ベルトが伝動し係合し取り付けられ、前記第二カム軸のうち前記第四プーリの後側には前記プッシュカムが固定的に取り付けられ、前記第三伝動作動チャンバの左側内壁の中には第一ヒンジ連結台が固定的に取り付けられ、前記第三伝動作動チャンバの右側内壁の中には第二ヒンジ連結台が固定的に取り付けられ、前記第一ヒンジ連結台にはスライド揺動リンクがヒンジで連結され、前記スライド揺動リンクと前記プッシュカムとがスライドできるように係合され、前記スライド揺動リンクの右側末端には連結揺動リンクがヒンジで係合し取り付けられ、前記連結揺動リンクの右側末端と前記第二ヒンジ連結台とがヒンジで係合され、前記連結揺動リンクには挟みヒンジ連結台が固定的に取り付けられ、前記装置筐体の頂部端面には置き台が固定的に取り付けられ、前記置き台の頂部端面には総起動ボタンが設置され、前記総起動ボタンの右側にはページめくりボタンが設置され、前記装置筐体の頂部端面のうち前記ページめくりボタンの右側には照明ランプが固定的に取り付けられ、前記置き台と前記装置筐体との間には左右対称的な挟み作動溝が貫通し設置され、左右の前記挟み作動溝にはラッチが左右対称的に固定的に取り付けられ、前記挟み作動溝の中には挟み支持ハウジングが左右対称的にスライドできるように係合し取り付けられ、左右の前記挟み支持ハウジングの中には前記第一挟み連接棒がヒンジで係合し取り付けられ、左右の前記第一挟み連接棒の相対側には前記クリップが左右対称的にヒンジで係合し取り付けられ、左右の前記第一挟み連接棒の離れている側には前記第二挟み連接棒が左右対称的にヒンジで取り付けられ、左側の前記第二挟み連接棒と前記スライド揺動リンクとがヒンジで係合し取り付けられ、右側の前記第二挟み連接棒と前記挟みヒンジ連結台とがヒンジで係合されることを特徴とする請求項１に記載の多機能読書装置。
【発明の詳細な説明】
【技術分野】
【０００１】
本発明は教育教具技術分野を取り上げて、具体的には多機能読書装置である。
【背景技術】
【０００２】
現在、ペーパーレス読書が好きな人が増えている一方、紙の本を読む人はまだ多くいるが、紙の本を読むとき取ることと置くこととが便利ではなく、既存の読書補助装置が重く、占用する空間が大きく、ページをめくるとき効果が良くなく、読者の読書速度と気分に影響があり、従って、より簡潔な読書装置が必要となり、占用する空間が小さく、ロールを使用し紙を圧着することによりページめくりとスイングとを行うことができ、前にまたは後にページをめくる方式を選択することができ、人のページめくり作動を置き換え、人の疲労を解消する。
【先行技術文献】
【特許文献】
【０００３】
【特許文献１】中国特許出願公開第１０４５８６０８０号明細書
【発明の概要】
【発明が解決しようとする課題】
【０００４】
本発明の目的は多機能読書装置を提供し、それは上記の現在の技術中の問題を解決できる。
【課題を解決するための手段】
【０００５】
本発明の実施例による多機能読書装置は、取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバが設置され、前記電磁作動チャンバの一つの側壁の中には電磁石が設置され、前記電磁石と、前記電磁作動チャンバと前記制御作動チャンバとの間にスライドできるように係合し取り付けられる永久磁石とが吸引し合い、前記制御作動チャンバの中に回転できるように係合し取り付けられる第二クラッチを前記第一クラッチと噛合させ、前記第一モーターが前記第一クラッチと前記第二クラッチとを駆動し回転させ、一周回転した後、前記永久磁石と前記電磁石とが吸引し合わなくなり、これにより前記第二クラッチと前記第一クラッチとが噛み合わずに伝動を絶え、前記取り換え機構の右側にはページめくり機構が設置され、前記ページめくり機構がスイングカムを含み、前記スイングカムが回転して前記スイングカムとスライドできるように係合し取り付けられる揺動リンクをスイングさせ、前記ページめくり機構がまた反転作動筐体とめくり軸支持ブロックを含み、前記揺動リンクがスイングし前記反転作動筐体と前記めくり軸支持ブロックとを共にスイングさせ、前記反転作動筐体と前記めくり軸支持ブロックとの間にはめくりチューブが回転できるように係合し取り付けられ、前記めくりチューブが前記反転作動筐体の内部に固定的に取り付けられる第二モーターにより駆動されて回転し、前記取り換え機構の上側には挟み機構が設置され、前記挟み機構がプッシュカムと第二挟み連接棒とを含み、これにより前記プッシュカムを駆動して回転させて前記第一伝動作動チャンバを駆動し上下に移動させ、前記第一伝動作動チャンバが上下に移動し第一挟み連接棒をスイングさせ、前記第一挟み連接棒がクリップを駆動し上下に移動させる。
【０００６】
更の技術プラン、前記取り換え機構が装置筐体を含み、前記装置筐体の中にはメイン伝動作動チャンバが設置され、前記メイン伝動作動チャンバの前側内壁の中には前記第一モーターが固定的に取り付けられ、前記第一モーターの後側出力軸の後側端面がメイン伝動軸と固定的に連結され、前記メイン伝動軸の後側端面にはメイン伝動歯車が固定的に取り付けられ、前記メイン伝動作動チャンバの後側には前記制御作動チャンバが設置され、前記メイン伝動作動チャンバの前後内壁の間には前記制御作動チャンバの前側内壁を貫通する第一伝動軸が回転できるように係合し取り付けられ、前記第一伝動軸には滑り歯車が固定的に取り付けられ、前記滑り歯車と前記メイン伝動歯車とが噛合し、前記第一伝動軸の後側端面には前記第一クラッチが固定的に取り付けられ、前記第一伝動軸において前記第一クラッチの前側端面にはばね支持ブッシングがスライドできるように係合し取り付けられ、前記ばね支持ブッシングにはスライドブッシングがスライドできるように係合し取り付けられ、前記スライドブッシングが前記装置筐体と回転できるように係合され、前記制御作動チャンバの後側には前記第一伝動作動チャンバが設置され、前記第一伝動作動チャンバの前後内壁の間には前記制御作動チャンバの後側内壁を貫通する第二伝動軸が回転できるように係合し取り付けられ、前記第二伝動軸の前側端面には前記第二クラッチが固定的に取り付けられ、前記第二クラッチが前記第一クラッチと噛合でき、前記伝動噛合作動チャンバには前記第二クラッチが設置され、前記伝動噛合作動チャンバの中には前記第二クラッチの前側端面を貫通する支えヘッドがスライドできるように係合し取り付けられ、前記支えヘッドの凸台の前側端面と前記第二クラッチの後側内壁との間には第一スラストスプリングが固定的に取り付けられ、前記制御作動チャンバの左右両側には前記電磁作動チャンバが対称的に設置され、左側の前記電磁作動チャンバに蓄電池が設置され、前記電磁作動チャンバの一つの側壁の中には制御プッシュヘッドがスライドできるように取り付けられ、前記制御プッシュヘッドの一つの側には前記永久磁石が固定的に取り付けられ、前記永久磁石の一つの側には第二スラストスプリングが固定的に取り付けられ、前記第二スラストスプリングの一つの側には前記電磁石が固定的に取り付けられ、前記第二伝動軸には第一プーリが固定的に取り付けられ、前記第一伝動作動チャンバの前側には第二伝動作動チャンバが設置され、前記第二伝動作動チャンバと前記第一伝動作動チャンバとの間には第一カム軸が回転できるように係合し取り付けられ、前記第一カム軸には第二プーリが固定的に取り付けられ、前記第二プーリと前記第一プーリとの間には第一ベルトが取り付けられ、前記第一カム軸のうち前記第二プーリの後側端面には第三プーリが固定的に取り付けられ、前記第一カム軸のうち前記第二伝動作動チャンバの中にはスイングカムが固定的に取り付けられる。
【０００７】
更の技術プラン、前記ページめくり機構は前記第二伝動作動チャンバの前後内壁の間に回転できるように係合し取り付けられ、且つ前記装置筐体の前後端面を貫通する揺動リンク軸を含み、前記揺動リンク軸にはスイングロッドが固定的に取り付けられ、前記スイングロッドの右側末端には移動連接棒がヒンジで取り付けられ、前記移動連接棒の下側末端には前記揺動リンクがヒンジで取り付けられ、前記第二伝動作動チャンバの底壁には回転ヒンジ連結台が固定的に取り付けられ、前記回転ヒンジ連結台と前記揺動リンクとがヒンジで係合され、前記揺動リンクの左側末端にはスライドローラーがヒンジで取り付けられ、前記スライドローラーと前記スイングカムとがスライドできるように係合され、前記揺動リンク軸の前側端面には支持スイングアームが固定的に取り付けられ、前記支持スイングアームの頂端の後側端面には前記めくり軸支持ブロックが固定的に取り付けられ、前記揺動リンク軸の後側端面にはスイングアームが固定的に取り付けられ、前記スイングアームの頂部の前側端面には前記反転作動筐体がスライドできるように係合し取り付けられ、前記スイングアームの中にはスライド作動チャンバが設置され、前記反転作動筐体の頂部端面と前記スライド作動チャンバの頂壁の中には第三スラストスプリングが固定的に取り付けられ、前記反転作動筐体の中にはめくり伝動作動チャンバが設置され、前記めくり伝動作動チャンバの後側内壁の中には第二モーターが固定的に取り付けられ、前記第二モーターの前側出力軸の前側端面にはめくりメイン伝動軸が固定的に連結され、前記めくりメイン伝動軸の前側端面にはめくりメイン伝動歯車が固定的に取り付けられ、前記反転作動筐体と前記めくり軸支持ブロックとの間には前記めくり伝動作動チャンバの前側内壁を貫通するめくり軸が左右対称的に回転できるように係合し取り付けられ、左右の前記めくり軸の後側端面にはめくり伝動歯車が左右対称的に固定的に取り付けられ、左右の前記めくり伝動歯車と前記めくりメイン伝動歯車とが噛合し、左右の前記めくり軸には前記めくりチューブが固定的に取り付けられる。
【０００８】
更の技術プラン、前記挟み機構が前記第一伝動作動チャンバの上方に位置する第三伝動作動チャンバを含み、前記第三伝動作動チャンバの前後側端面には第二カム軸が回転できるように係合し取り付けられ、前記第二カム軸には第四プーリが固定的に取り付けられ、前記第四プーリと前記第三プーリとの間には第二ベルトが伝動し係合し取り付けられ、前記第二カム軸のうち前記第四プーリの後側には前記プッシュカムが固定的に取り付けられ、前記第三伝動作動チャンバの左側内壁の中には第一ヒンジ連結台が固定的に取り付けられ、前記第三伝動作動チャンバの右側内壁の中には第二ヒンジ連結台が固定的に取り付けられ、前記第一ヒンジ連結台にはスライド揺動リンクがヒンジで連結され、前記スライド揺動リンクと前記プッシュカムとがスライドできるように係合され、前記スライド揺動リンクの右側末端には連結揺動リンクがヒンジで係合し取り付けられ、前記連結揺動リンクの右側末端と前記第二ヒンジ連結台とがヒンジで係合され、前記連結揺動リンクには挟みヒンジ連結台が固定的に取り付けられ、前記装置筐体の頂部端面には置き台が固定的に取り付けられ、前記置き台の頂部端面には総起動ボタンが設置され、前記総起動ボタンの右側にはページめくりボタンが設置され、前記装置筐体の頂部端面のうち前記ページめくりボタンの右側には照明ランプが固定的に取り付けられ、前記置き台と前記装置筐体との間には左右対称的な挟み作動溝が貫通し設置され、左右の前記挟み作動溝にはラッチが左右対称的に固定的に取り付けられ、前記挟み作動溝の中には挟み支持ハウジングが左右対称的にスライドできるように係合し取り付けられ、左右の前記挟み支持ハウジングの中には前記第一挟み連接棒がヒンジで係合し取り付けられ、左右の前記第一挟み連接棒の相対側には前記クリップが左右対称的にヒンジで係合し取り付けられ、左右の前記第一挟み連接棒の離れている側には前記第二挟み連接棒が左右対称的にヒンジで取り付けられ、左側の前記第二挟み連接棒と前記スライド揺動リンクとがヒンジで係合し取り付けられ、右側の前記第二挟み連接棒と前記挟みヒンジ連結台とがヒンジで係合される。
【発明の効果】
【０００９】
本発明の有益的な効果は：本発明は構造が簡単で、操作が便利で、取り換え機構により伝達される動力を断続的に伝達でき、電磁石が動力伝達の断続を制御し、左右対称式の設置によりページを前または後へめくり、カムを設置することで最後までページをめくると最初の位置へ復帰でき、ページめくり機構がモーターを独立的に使用しめくりを制御し、紙を二つのめくりチューブの間に巻き込んでページをめくり、挟み機構がカムにより駆動され、読んでいる時に本が落下することを防止でき、また装置全体が軽くて他のデスクや本棚と合致することができ、占用する空間が小さく、読みやすく、普及する価値がある。
【図面の簡単な説明】
【００１０】
【図１】図１は本発明の全体構成図
【図２】図２は図１のＡ―Ａ方向の断面構造図
【図３】図３は図１の上面構造図
【図４】図４は図１のＢ方向の構造図
【図５】図５は図１のＣ―Ｃ方向の断面構造図
【図６】図６は図２のＤの拡大図
【発明を実施するための形態】
【００１１】
下記に図１〜６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１〜６が示すように、本発明の多機能読書装置は、取り換え機構を含み、前記取り換え機構が第一モーター１０４と制御作動チャンバ１２３とを含み、前記制御作動チャンバ１２３の中には第一伝動軸１０２が回転できるように係合し取り付けられ、前記第一伝動軸１０２の後側端面には第一クラッチ１３５が固定的に取り付けられ、前記制御作動チャンバ１２３の左右両側には電磁作動チャンバ１２４が設置され、前記電磁作動チャンバ１２４の一つの側壁の中には電磁石１２５が設置され、前記電磁石１２５と、前記電磁作動チャンバ１２４と前記制御作動チャンバ１２３との間にスライドできるように係合し取り付けられる永久磁石１２７とが吸引し合い、前記制御作動チャンバ１２３の中に回転できるように係合し取り付けられる第二クラッチ１３１を前記第一クラッチ１３５と噛合させ、前記第一モーター１０４が前記第一クラッチ１３５と前記第二クラッチ１３１とを駆動し回転させ、一周回転した後、前記永久磁石１２７と前記電磁石１２５とが吸引し合わなくなり、これにより前記第二クラッチ１３１と前記第一クラッチ１３５とが噛み合わずに伝動を絶え、前記取り換え機構の右側にはページめくり機構が設置され、前記ページめくり機構がスイングカム１１８を含み、前記スイングカム１１８が回転して前記スイングカム１１８とスライドできるように係合し取り付けられる揺動リンク１１２をスイングさせ、前記ページめくり機構がまた反転作動筐体１５０とめくり軸支持ブロック１５５を含み、前記揺動リンク１１２がスイングし前記反転作動筐体１５０と前記めくり軸支持ブロック１５５とを共にスイングさせ、前記反転作動筐体１５０と前記めくり軸支持ブロック１５５との間にはめくりチューブ１７１が回転できるように係合し取り付けられ、前記めくりチューブ１７１が前記反転作動筐体１５０の内部に固定的に取り付けられる第二モーター１７０により駆動されて回転し、前記取り換え機構の上側には挟み機構が設置され、前記挟み機構がプッシュカム１６５と第二挟み連接棒１４４とを含み、これにより前記プッシュカム１６５を駆動して回転させて前記第一伝動作動チャンバ１１４を駆動し上下に移動させ、前記第一伝動作動チャンバ１１４が上下に移動し第一挟み連接棒１４７をスイングさせ、前記第一挟み連接棒１４７がクリップ１４９を駆動し上下に移動させ、本のページを固定または緩める。
【００１３】
有益なまた例を示すように、前記取り換え機構が装置筐体１００を含み、前記装置筐体１００の中にはメイン伝動作動チャンバ１０１が設置され、前記メイン伝動作動チャンバ１０１の前側内壁の中には前記第一モーター１０４が固定的に取り付けられ、前記第一モーター１０４の後側出力軸の後側端面がメイン伝動軸１０５と固定的に連結され、前記メイン伝動軸１０５の後側端面にはメイン伝動歯車１０６が固定的に取り付けられ、前記メイン伝動作動チャンバ１０１の後側には前記制御作動チャンバ１２３が設置され、前記メイン伝動作動チャンバ１０１の前後内壁の間には前記制御作動チャンバ１２３の前側内壁を貫通する第一伝動軸１０２が回転できるように係合し取り付けられ、前記第一伝動軸１０２には滑り歯車１０３が固定的に取り付けられ、前記滑り歯車１０３と前記メイン伝動歯車１０６とが噛合し、前記第一伝動軸１０２の後側端面には前記第一クラッチ１３５が固定的に取り付けられ、前記第一伝動軸１０２において前記第一クラッチ１３５の前側端面にはばね支持ブッシング１３６がスライドできるように係合し取り付けられ、前記ばね支持ブッシング１３６にはスライドブッシング１３７がスライドできるように係合し取り付けられ、前記スライドブッシング１３７が前記装置筐体１００と回転できるように係合され、前記制御作動チャンバ１２３の後側には前記第一伝動作動チャンバ１１４が設置され、前記第一伝動作動チャンバ１１４の前後内壁の間には前記制御作動チャンバ１２３の後側内壁を貫通する第二伝動軸１２１が回転できるように係合し取り付けられ、前記第二伝動軸１２１の前側端面には前記第二クラッチ１３１が固定的に取り付けられ、前記第二クラッチ１３１が前記第一クラッチ１３５と噛合でき、前記伝動噛合作動チャンバ１３０には前記第二クラッチ１３１が設置され、前記伝動噛合作動チャンバ１３０の中には前記第二クラッチ１３１の前側端面を貫通する支えヘッド１３２がスライドできるように係合し取り付けられ、前記支えヘッド１３２の凸台の前側端面と前記第二クラッチ１３１の後側内壁との間には第一スラストスプリング１３３が固定的に取り付けられ、前記制御作動チャンバ１２３の左右両側には前記電磁作動チャンバ１２４が対称的に設置され、左側の前記電磁作動チャンバ１２４に蓄電池１６２が設置され、前記電磁作動チャンバ１２４の一つの側壁の中には制御プッシュヘッド１２８がスライドできるように取り付けられ、前記制御プッシュヘッド１２８の一つの側には前記永久磁石１２７が固定的に取り付けられ、前記永久磁石１２７の一つの側には第二スラストスプリング１２６が固定的に取り付けられ、前記第二スラストスプリング１２６の一つの側には前記電磁石１２５が固定的に取り付けられ、前記第二伝動軸１２１には第一プーリ１２２が固定的に取り付けられ、前記第一伝動作動チャンバ１１４の前側には第二伝動作動チャンバ１０９が設置され、前記第二伝動作動チャンバ１０９と前記第一伝動作動チャンバ１１４との間には第一カム軸１１６が回転できるように係合し取り付けられ、前記第一カム軸１１６には第二プーリ１１９が固定的に取り付けられ、前記第二プーリ１１９と前記第一プーリ１２２との間には第一ベルト１２０が取り付けられ、前記第一カム軸１１６のうち前記第二プーリ１１９の後側端面には第三プーリ１１５が固定的に取り付けられ、前記第一カム軸１１６のうち前記第二伝動作動チャンバ１０９の中にはスイングカム１１８が固定的に取り付けられ、これにより第一モーター１０４を起動させるとき、第一モーター１０４が回転しメイン伝動歯車１０６を駆動し回転させ、メイン伝動歯車１０６が回転し滑り歯車１０３を駆動し回転させ、滑り歯車１０３が回転し第一クラッチ１３５を駆動し回転させ、電磁石１２５に電流が通すとき、永久磁石１２７が吸い寄せられ、制御プッシュヘッド１２８を駆動し両側に移動させ、支えヘッド１３２を駆動し引っ込ませ、第一クラッチ１３５を第二クラッチ１３１に向かって移動させ、最後に第二クラッチ１３１と噛合させ、第一クラッチ１３５が第二クラッチ１３１を駆動し回転させ、第二クラッチ１３１が回転し第一プーリ１２２を駆動し回転させ、第一プーリ１２２が回転し第二プーリ１１９と第三プーリ１１５とを駆動し回転させ、第二プーリ１１９と第三プーリ１１５とが回転し第一カム軸１１６を駆動し回転させ、第一カム軸１１６が回転しスイングカム１１８を駆動し回転させ、動力の伝達を断続的に制御することができる。
【００１４】
有益なまた例を示すように、前記ページめくり機構は前記第二伝動作動チャンバ１０９の前後内壁の間に回転できるように係合し取り付けられ、且つ前記装置筐体１００の前後端面を貫通する揺動リンク軸１０８を含み、前記揺動リンク軸１０８にはスイングロッド１１０が固定的に取り付けられ、前記スイングロッド１１０の右側末端には移動連接棒１１１がヒンジで取り付けられ、前記移動連接棒１１１の下側末端には前記揺動リンク１１２がヒンジで取り付けられ、前記第二伝動作動チャンバ１０９の底壁には回転ヒンジ連結台１３９が固定的に取り付けられ、前記回転ヒンジ連結台１３９と前記揺動リンク１１２とがヒンジで係合され、前記揺動リンク１１２の左側末端にはスライドローラー１１７がヒンジで取り付けられ、前記スライドローラー１１７と前記スイングカム１１８とがスライドできるように係合され、前記揺動リンク軸１０８の前側端面には支持スイングアーム１０７が固定的に取り付けられ、前記支持スイングアーム１０７の頂端の後側端面には前記めくり軸支持ブロック１５５が固定的に取り付けられ、前記揺動リンク軸１０８の後側端面にはスイングアーム１１３が固定的に取り付けられ、前記スイングアーム１１３の頂部の前側端面には前記反転作動筐体１５０がスライドできるように係合し取り付けられ、前記スイングアーム１１３の中にはスライド作動チャンバ１７３が設置され、前記反転作動筐体１５０の頂部端面と前記スライド作動チャンバ１７３の頂壁の中には第三スラストスプリング１７４が固定的に取り付けられ、前記反転作動筐体１５０の中にはめくり伝動作動チャンバ１５６が設置され、前記めくり伝動作動チャンバ１５６の後側内壁の中には第二モーター１７０が固定的に取り付けられ、前記第二モーター１７０の前側出力軸の前側端面にはめくりメイン伝動軸１５３が固定的に連結され、前記めくりメイン伝動軸１５３の前側端面にはめくりメイン伝動歯車１５１が固定的に取り付けられ、前記反転作動筐体１５０と前記めくり軸支持ブロック１５５との間には前記めくり伝動作動チャンバ１５６の前側内壁を貫通するめくり軸１５４が左右対称的に回転できるように係合し取り付けられ、左右の前記めくり軸１５４の後側端面にはめくり伝動歯車１５２が左右対称的に固定的に取り付けられ、左右の前記めくり伝動歯車１５２と前記めくりメイン伝動歯車１５１とが噛合し、左右の前記めくり軸１５４には前記めくりチューブ１７１が固定的に取り付けられ、これによりスイングカム１１８が回転し揺動リンク１１２を駆動しスイングさせるとき、揺動リンク１１２がスイングしスイングロッド１１０を駆動しスイングさせ、スイングロッド１１０がスイングし支持スイングアーム１０７とスイングアーム１１３とを駆動しスイングさせ、支持スイングアーム１０７とスイングアーム１１３とがスイングしめくりチューブ１７１を駆動しスイングさせ、第二モーター１７０を起動し、第二モーター１７０がめくり伝動歯車１５２を駆動し回転させ、めくり伝動歯車１５２が回転しめくりチューブ１７１を駆動し回転させ、めくりチューブ１７１が回転し紙をめくり、本のページをめくる。
【００１５】
有益なまた例を示すように、前記挟み機構が前記第一伝動作動チャンバ１１４の上方に位置する第三伝動作動チャンバ１７５を含み、前記第三伝動作動チャンバ１７５の前後側端面には第二カム軸１６８が回転できるように係合し取り付けられ、前記第二カム軸１６８には第四プーリ１６６が固定的に取り付けられ、前記第四プーリ１６６と前記第三プーリ１１５との間には第二ベルト１６７が伝動し係合し取り付けられ、前記第二カム軸１６８のうち前記第四プーリ１６６の後側には前記プッシュカム１６５が固定的に取り付けられ、前記第三伝動作動チャンバ１７５の左側内壁の中には第一ヒンジ連結台１６３が固定的に取り付けられ、前記第三伝動作動チャンバ１７５の右側内壁の中には第二ヒンジ連結台１４０が固定的に取り付けられ、前記第一ヒンジ連結台１６３にはスライド揺動リンク１６４がヒンジで連結され、前記スライド揺動リンク１６４と前記プッシュカム１６５とがスライドできるように係合され、前記スライド揺動リンク１６４の右側末端には連結揺動リンク１７２がヒンジで係合し取り付けられ、前記連結揺動リンク１７２の右側末端と前記第二ヒンジ連結台１４０とがヒンジで係合され、前記連結揺動リンク１７２には挟みヒンジ連結台１４１が固定的に取り付けられ、前記装置筐体１００の頂部端面には置き台１６１が固定的に取り付けられ、前記置き台１６１の頂部端面には総起動ボタン１６０が設置され、前記総起動ボタン１６０の右側にはページめくりボタン１５９が設置され、前記装置筐体１００の頂部端面のうち前記ページめくりボタン１５９の右側には照明ランプ１５７が固定的に取り付けられ、前記置き台１６１と前記装置筐体１００との間には左右対称的な挟み作動溝１４５が貫通し設置され、左右の前記挟み作動溝１４５にはラッチ１４６が左右対称的に固定的に取り付けられ、前記挟み作動溝１４５の中には挟み支持ハウジング１４３が左右対称的にスライドできるように係合し取り付けられ、左右の前記挟み支持ハウジング１４３の中には前記第一挟み連接棒１４７がヒンジで係合し取り付けられ、左右の前記第一挟み連接棒１４７の相対側には前記クリップ１４９が左右対称的にヒンジで係合し取り付けられ、左右の前記第一挟み連接棒１４７の離れている側には前記第二挟み連接棒１４４が左右対称的にヒンジで取り付けられ、左側の前記第二挟み連接棒１４４と前記スライド揺動リンク１６４とがヒンジで係合し取り付けられ、右側の前記第二挟み連接棒１４４と前記挟みヒンジ連結台１４１とがヒンジで係合され、これにより第三プーリ１１５が回転し第四プーリ１６６とプッシュカム１６５とを駆動し回転させるとき、プッシュカム１６５が回転しスライド揺動リンク１６４と連結揺動リンク１７２とを駆動しスイングさせ、スライド揺動リンク１６４と連結揺動リンク１７２とがスイングし第二挟み連接棒１４４を駆動し上下に移動させ、第二挟み連接棒１４４が上下に移動しクリップ１４９に駆動し挟みまたは放しをさせる。
【００１６】
使用するとき、総起動ボタン１６０を押し、第一モーター１０４が起動して第一伝動軸１０２を駆動し回転させ、電磁石１２５が永久磁石１２７との吸い寄せを制御し、第二クラッチ１３１と第一クラッチ１３５との間の噛合または離脱を制御し、第二クラッチ１３１と第一クラッチ１３５とが噛合した後に一周回転し、また緩めて第二クラッチ１３１を制御し断続的に回転させ、第二クラッチ１３１が回転しスイングカム１１８とプッシュカム１６５とを駆動し回転させ、スイングカム１１８がめくりチューブ１７１を左右にスイングさせ、第二モーター１７０を起動し、第二モーター１７０がめくりチューブ１７１を駆動し回転させ、紙をめくりページをめくり、プッシュカム１６５が回転し第二挟み連接棒１４４を上下に移動させ、これによりクリップ１４９が上下に移動し挟みと放し動作を行う。
【００１７】
本発明の有益的な効果は：本発明は構造が簡単で、操作が便利で、取り換え機構により伝達される動力を断続的に伝達でき、電磁石が動力伝達の断続を制御し、左右対称式の設置によりページを前または後へめくり、カムを設置することで最後までページをめくると最初の位置へ復帰でき、ページめくり機構がモーターを独立的に使用しめくりを制御し、紙を二つのめくりチューブの間に巻き込んでページをめくり、挟み機構がカムにより駆動され、読んでいる時に本が落下することを防止でき、また装置全体が軽くて他のデスクや本棚と合致することができ、占用する空間が小さく、読みやすく、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020168344.tif 000003
【図２】
2020168344.tif 000004
【図３】
2020168344.tif 000005
【図４】
2020168344.tif 000006
【図５】
2020168344.tif 000007
【図６】
2020168344.tif 000008
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバが設置され、前記電磁作動チャンバの一つの側壁の中には電磁石が設置され、前記電磁石と、前記電磁作動チャンバと前記制御作動チャンバとの間にスライドできるように係合し取り付けられる永久磁石とが吸引し合い、前記制御作動チャンバの中に回転できるように係合し取り付けられる第二クラッチを前記第一クラッチと噛合させ、前記第一モーターが前記第一クラッチと前記第二クラッチとを駆動し回転させ、一周回転した後、前記永久磁石と前記電磁石とが吸引し合わなくなり、これにより前記第二クラッチと前記第一クラッチとが噛み合わずに伝動を絶え、前記取り換え機構の右側にはページめくり機構が設置され、前記ページめくり機構がスイングカムを含み、前記スイングカムが回転して前記スイングカムとスライドできるように係合し取り付けられる揺動リンクをスイングさせ、前記ページめくり機構がまた反転作動筐体とめくり軸支持ブロックを含み、前記揺動リンクがスイングし前記反転作動筐体と前記めくり軸支持ブロックとを共にスイングさせ、前記反転作動筐体と前記めくり軸支持ブロックとの間にはめくりチューブが回転できるように係合し取り付けられ、前記めくりチューブが前記反転作動筐体の内部に固定的に取り付けられる第二モーターにより駆動されて回転し、前記取り換え機構の上側には挟み機構が設置され、前記挟み機構がプッシュカムと第二挟み連接棒とを含み、これにより前記プッシュカムを駆動して回転させて前記第二挟み連接棒を駆動し上下に移動させ、第一伝動作動チャンバが上下に移動し第一挟み連接棒をスイングさせ、前記第一挟み連接棒がクリップを駆動し上下に移動させ、
前記取り換え機構が装置筐体を含み、前記装置筐体の中にはメイン伝動作動チャンバが設置され、前記メイン伝動作動チャンバの前側内壁の中には前記第一モーターが固定的に取り付けられ、前記第一モーターの後側出力軸の後側端面がメイン伝動軸と固定的に連結され、前記メイン伝動軸の後側端面にはメイン伝動歯車が固定的に取り付けられ、前記メイン伝動作動チャンバの後側には前記制御作動チャンバが設置され、前記メイン伝動作動チャンバの前後内壁の間には前記制御作動チャンバの前側内壁を貫通する第一伝動軸が回転できるように係合し取り付けられ、前記第一伝動軸には滑り歯車が固定的に取り付けられ、前記滑り歯車と前記メイン伝動歯車とが噛合し、前記第一伝動軸の後側端面には前記第一クラッチが固定的に取り付けられ、前記第一伝動軸において前記第一クラッチの前側端面にはばね支持ブッシングがスライドできるように係合し取り付けられ、前記ばね支持ブッシングにはスライドブッシングがスライドできるように係合し取り付けられ、前記スライドブッシングが前記装置筐体と回転できるように係合され、前記制御作動チャンバの後側には前記第一伝動作動チャンバが設置され、前記第一伝動作動チャンバの前後内壁の間には前記制御作動チャンバの後側内壁を貫通する第二伝動軸が回転できるように係合し取り付けられ、前記第二伝動軸の前側端面には前記第二クラッチが固定的に取り付けられ、前記第二クラッチが前記第一クラッチと噛合でき、前記第二クラッチの中には伝動噛合作動チャンバが設置され、前記伝動噛合作動チャンバには前記第二クラッチが設置され、前記伝動噛合作動チャンバの中には前記第二クラッチの前側端面を貫通する支えヘッドがスライドできるように係合し取り付けられ、前記支えヘッドの凸台の前側端面と前記第二クラッチの後側内壁との間には第一スラストスプリングが固定的に取り付けられ、前記制御作動チャンバの左右両側には前記電磁作動チャンバが対称的に設置され、左側の前記電磁作動チャンバに蓄電池が設置され、前記電磁作動チャンバの一つの側壁の中には制御プッシュヘッドがスライドできるように取り付けられ、前記制御プッシュヘッドの一つの側には前記永久磁石が固定的に取り付けられ、前記永久磁石の一つの側には第二スラストスプリングが固定的に取り付けられ、前記第二スラストスプリングの一つの側には前記電磁石が固定的に取り付けられ、前記第二伝動軸には第一プーリが固定的に取り付けられ、前記第一伝動作動チャンバの前側には第二伝動作動チャンバが設置され、前記第二伝動作動チャンバと前記第一伝動作動チャンバとの間には第一カム軸が回転できるように係合し取り付けられ、前記第一カム軸には第二プーリが固定的に取り付けられ、前記第二プーリと前記第一プーリとの間には第一ベルトが取り付けられ、前記第一カム軸のうち前記第二プーリの後側端面には第三プーリが固定的に取り付けられ、前記第一カム軸のうち前記第二伝動作動チャンバの中にはスイングカムが固定的に取り付けられ、
前記ページめくり機構は前記第二伝動作動チャンバの前後内壁の間に回転できるように係合し取り付けられ、且つ前記装置筐体の前後端面を貫通する揺動リンク軸を含み、前記揺動リンク軸にはスイングロッドが固定的に取り付けられ、前記スイングロッドの右側末端には移動連接棒がヒンジで取り付けられ、前記移動連接棒の下側末端には前記揺動リンクがヒンジで取り付けられ、前記第二伝動作動チャンバの底壁には回転ヒンジ連結台が固定的に取り付けられ、前記回転ヒンジ連結台と前記揺動リンクとがヒンジで係合され、前記揺動リンクの左側末端にはスライドローラーがヒンジで取り付けられ、前記スライドローラーと前記スイングカムとがスライドできるように係合され、前記揺動リンク軸の前側端面には支持スイングアームが固定的に取り付けられ、前記支持スイングアームの頂端の後側端面には前記めくり軸支持ブロックが固定的に取り付けられ、前記揺動リンク軸の後側端面にはスイングアームが固定的に取り付けられ、前記スイングアームの頂部の前側端面には前記反転作動筐体がスライドできるように係合し取り付けられ、前記スイングアームの中にはスライド作動チャンバが設置され、前記反転作動筐体の頂部端面と前記スライド作動チャンバの頂壁の中には第三スラストスプリングが固定的に取り付けられ、前記反転作動筐体の中にはめくり伝動作動チャンバが設置され、前記めくり伝動作動チャンバの後側内壁の中には第二モーターが固定的に取り付けられ、前記第二モーターの前側出力軸の前側端面にはめくりメイン伝動軸が固定的に連結され、前記めくりメイン伝動軸の前側端面にはめくりメイン伝動歯車が固定的に取り付けられ、前記反転作動筐体と前記めくり軸支持ブロックとの間には前記めくり伝動作動チャンバの前側内壁を貫通するめくり軸が左右対称的に回転できるように係合し取り付けられ、左右の前記めくり軸の後側端面にはめくり伝動歯車が左右対称的に固定的に取り付けられ、左右の前記めくり伝動歯車と前記めくりメイン伝動歯車とが噛合し、左右の前記めくり軸には前記めくりチューブが固定的に取り付けられ、
前記挟み機構が前記第一伝動作動チャンバの上方に位置する第三伝動作動チャンバを含み、前記第三伝動作動チャンバの前後側端面には第二カム軸が回転できるように係合し取り付けられ、前記第二カム軸には第四プーリが固定的に取り付けられ、前記第四プーリと前記第三プーリとの間には第二ベルトが伝動し係合し取り付けられ、前記第二カム軸のうち前記第四プーリの後側には前記プッシュカムが固定的に取り付けられ、前記第三伝動作動チャンバの左側内壁の中には第一ヒンジ連結台が固定的に取り付けられ、前記第三伝動作動チャンバの右側内壁の中には第二ヒンジ連結台が固定的に取り付けられ、前記第一ヒンジ連結台にはスライド揺動リンクがヒンジで連結され、前記スライド揺動リンクと前記プッシュカムとがスライドできるように係合され、前記スライド揺動リンクの右側末端には連結揺動リンクがヒンジで係合し取り付けられ、前記連結揺動リンクの右側末端と前記第二ヒンジ連結台とがヒンジで係合され、前記連結揺動リンクには挟みヒンジ連結台が固定的に取り付けられ、前記装置筐体の頂部端面には置き台が固定的に取り付けられ、前記置き台の頂部端面には総起動ボタンが設置され、前記総起動ボタンの右側にはページめくりボタンが設置され、前記装置筐体の頂部端面のうち前記ページめくりボタンの右側には照明ランプが固定的に取り付けられ、前記置き台と前記装置筐体との間には左右対称的な挟み作動溝が貫通し設置され、左右の前記挟み作動溝にはラッチが左右対称的に固定的に取り付けられ、前記挟み作動溝の中には挟み支持ハウジングが左右対称的にスライドできるように係合し取り付けられ、左右の前記挟み支持ハウジングの中には前記第一挟み連接棒がヒンジで係合し取り付けられ、左右の前記第一挟み連接棒の相対側には前記クリップが左右対称的にヒンジで係合し取り付けられ、左右の前記第一挟み連接棒の離れている側には前記第二挟み連接棒が左右対称的にヒンジで取り付けられ、左側の前記第二挟み連接棒と前記スライド揺動リンクとがヒンジで係合し取り付けられ、右側の前記第二挟み連接棒と前記挟みヒンジ連結台とがヒンジで係合されることを特徴とする多機能読書装置。
【手続補正２】
【補正対象書類名】明細書
【補正対象項目名】全文
【補正方法】変更
【補正の内容】
【発明の詳細な説明】
【技術分野】
【０００１】
本発明は教育教具技術分野を取り上げて、具体的には多機能読書装置である。
【背景技術】
【０００２】
現在、ペーパーレス読書が好きな人が増えている一方、紙の本を読む人はまだ多くいるが、紙の本を読むとき取ることと置くこととが便利ではなく、既存の読書補助装置が重く、占用する空間が大きく、ページをめくるとき効果が良くなく、読者の読書速度と気分に影響があり、従って、より簡潔な読書装置が必要となり、占用する空間が小さく、ロールを使用し紙を圧着することによりページめくりとスイングとを行うことができ、前にまたは後にページをめくる方式を選択することができ、人のページめくり作動を置き換え、人の疲労を解消する。
【先行技術文献】
【特許文献】
【０００３】
【特許文献１】中国特許出願公開第１０４５８６０８０号明細書
【発明の概要】
【発明が解決しようとする課題】
【０００４】
本発明の目的は多機能読書装置を提供し、それは上記の現在の技術中の問題を解決できる。
【課題を解決するための手段】
【０００５】
本発明の実施例による多機能読書装置は、取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバが設置され、前記電磁作動チャンバの一つの側壁の中には電磁石が設置され、前記電磁石と、前記電磁作動チャンバと前記制御作動チャンバとの間にスライドできるように係合し取り付けられる永久磁石とが吸引し合い、前記制御作動チャンバの中に回転できるように係合し取り付けられる第二クラッチを前記第一クラッチと噛合させ、前記第一モーターが前記第一クラッチと前記第二クラッチとを駆動し回転させ、一周回転した後、前記永久磁石と前記電磁石とが吸引し合わなくなり、これにより前記第二クラッチと前記第一クラッチとが噛み合わずに伝動を絶え、前記取り換え機構の右側にはページめくり機構が設置され、前記ページめくり機構がスイングカムを含み、前記スイングカムが回転して前記スイングカムとスライドできるように係合し取り付けられる揺動リンクをスイングさせ、前記ページめくり機構がまた反転作動筐体とめくり軸支持ブロックを含み、前記揺動リンクがスイングし前記反転作動筐体と前記めくり軸支持ブロックとを共にスイングさせ、前記反転作動筐体と前記めくり軸支持ブロックとの間にはめくりチューブが回転できるように係合し取り付けられ、前記めくりチューブが前記反転作動筐体の内部に固定的に取り付けられる第二モーターにより駆動されて回転し、前記取り換え機構の上側には挟み機構が設置され、前記挟み機構がプッシュカムと第二挟み連接棒とを含み、これにより前記プッシュカムを駆動して回転させて前記第二挟み連接棒を駆動し上下に移動させ、第一伝動作動チャンバが上下に移動し第一挟み連接棒をスイングさせ、前記第一挟み連接棒がクリップを駆動し上下に移動させる。
【０００６】
更の技術プラン、前記取り換え機構が装置筐体を含み、前記装置筐体の中にはメイン伝動作動チャンバが設置され、前記メイン伝動作動チャンバの前側内壁の中には前記第一モーターが固定的に取り付けられ、前記第一モーターの後側出力軸の後側端面がメイン伝動軸と固定的に連結され、前記メイン伝動軸の後側端面にはメイン伝動歯車が固定的に取り付けられ、前記メイン伝動作動チャンバの後側には前記制御作動チャンバが設置され、前記メイン伝動作動チャンバの前後内壁の間には前記制御作動チャンバの前側内壁を貫通する第一伝動軸が回転できるように係合し取り付けられ、前記第一伝動軸には滑り歯車が固定的に取り付けられ、前記滑り歯車と前記メイン伝動歯車とが噛合し、前記第一伝動軸の後側端面には前記第一クラッチが固定的に取り付けられ、前記第一伝動軸において前記第一クラッチの前側端面にはばね支持ブッシングがスライドできるように係合し取り付けられ、前記ばね支持ブッシングにはスライドブッシングがスライドできるように係合し取り付けられ、前記スライドブッシングが前記装置筐体と回転できるように係合され、前記制御作動チャンバの後側には前記第一伝動作動チャンバが設置され、前記第一伝動作動チャンバの前後内壁の間には前記制御作動チャンバの後側内壁を貫通する第二伝動軸が回転できるように係合し取り付けられ、前記第二伝動軸の前側端面には前記第二クラッチが固定的に取り付けられ、前記第二クラッチが前記第一クラッチと噛合でき、前記第二クラッチの中には伝動噛合作動チャンバが設置され、前記伝動噛合作動チャンバには前記第二クラッチが設置され、前記伝動噛合作動チャンバの中には前記第二クラッチの前側端面を貫通する支えヘッドがスライドできるように係合し取り付けられ、前記支えヘッドの凸台の前側端面と前記第二クラッチの後側内壁との間には第一スラストスプリングが固定的に取り付けられ、前記制御作動チャンバの左右両側には前記電磁作動チャンバが対称的に設置され、左側の前記電磁作動チャンバに蓄電池が設置され、前記電磁作動チャンバの一つの側壁の中には制御プッシュヘッドがスライドできるように取り付けられ、前記制御プッシュヘッドの一つの側には前記永久磁石が固定的に取り付けられ、前記永久磁石の一つの側には第二スラストスプリングが固定的に取り付けられ、前記第二スラストスプリングの一つの側には前記電磁石が固定的に取り付けられ、前記第二伝動軸には第一プーリが固定的に取り付けられ、前記第一伝動作動チャンバの前側には第二伝動作動チャンバが設置され、前記第二伝動作動チャンバと前記第一伝動作動チャンバとの間には第一カム軸が回転できるように係合し取り付けられ、前記第一カム軸には第二プーリが固定的に取り付けられ、前記第二プーリと前記第一プーリとの間には第一ベルトが取り付けられ、前記第一カム軸のうち前記第二プーリの後側端面には第三プーリが固定的に取り付けられ、前記第一カム軸のうち前記第二伝動作動チャンバの中にはスイングカムが固定的に取り付けられる。
【０００７】
更の技術プラン、前記ページめくり機構は前記第二伝動作動チャンバの前後内壁の間に回転できるように係合し取り付けられ、且つ前記装置筐体の前後端面を貫通する揺動リンク軸を含み、前記揺動リンク軸にはスイングロッドが固定的に取り付けられ、前記スイングロッドの右側末端には移動連接棒がヒンジで取り付けられ、前記移動連接棒の下側末端には前記揺動リンクがヒンジで取り付けられ、前記第二伝動作動チャンバの底壁には回転ヒンジ連結台が固定的に取り付けられ、前記回転ヒンジ連結台と前記揺動リンクとがヒンジで係合され、前記揺動リンクの左側末端にはスライドローラーがヒンジで取り付けられ、前記スライドローラーと前記スイングカムとがスライドできるように係合され、前記揺動リンク軸の前側端面には支持スイングアームが固定的に取り付けられ、前記支持スイングアームの頂端の後側端面には前記めくり軸支持ブロックが固定的に取り付けられ、前記揺動リンク軸の後側端面にはスイングアームが固定的に取り付けられ、前記スイングアームの頂部の前側端面には前記反転作動筐体がスライドできるように係合し取り付けられ、前記スイングアームの中にはスライド作動チャンバが設置され、前記反転作動筐体の頂部端面と前記スライド作動チャンバの頂壁の中には第三スラストスプリングが固定的に取り付けられ、前記反転作動筐体の中にはめくり伝動作動チャンバが設置され、前記めくり伝動作動チャンバの後側内壁の中には第二モーターが固定的に取り付けられ、前記第二モーターの前側出力軸の前側端面にはめくりメイン伝動軸が固定的に連結され、前記めくりメイン伝動軸の前側端面にはめくりメイン伝動歯車が固定的に取り付けられ、前記反転作動筐体と前記めくり軸支持ブロックとの間には前記めくり伝動作動チャンバの前側内壁を貫通するめくり軸が左右対称的に回転できるように係合し取り付けられ、左右の前記めくり軸の後側端面にはめくり伝動歯車が左右対称的に固定的に取り付けられ、左右の前記めくり伝動歯車と前記めくりメイン伝動歯車とが噛合し、左右の前記めくり軸には前記めくりチューブが固定的に取り付けられる。
【０００８】
更の技術プラン、前記挟み機構が前記第一伝動作動チャンバの上方に位置する第三伝動作動チャンバを含み、前記第三伝動作動チャンバの前後側端面には第二カム軸が回転できるように係合し取り付けられ、前記第二カム軸には第四プーリが固定的に取り付けられ、前記第四プーリと前記第三プーリとの間には第二ベルトが伝動し係合し取り付けられ、前記第二カム軸のうち前記第四プーリの後側には前記プッシュカムが固定的に取り付けられ、前記第三伝動作動チャンバの左側内壁の中には第一ヒンジ連結台が固定的に取り付けられ、前記第三伝動作動チャンバの右側内壁の中には第二ヒンジ連結台が固定的に取り付けられ、前記第一ヒンジ連結台にはスライド揺動リンクがヒンジで連結され、前記スライド揺動リンクと前記プッシュカムとがスライドできるように係合され、前記スライド揺動リンクの右側末端には連結揺動リンクがヒンジで係合し取り付けられ、前記連結揺動リンクの右側末端と前記第二ヒンジ連結台とがヒンジで係合され、前記連結揺動リンクには挟みヒンジ連結台が固定的に取り付けられ、前記装置筐体の頂部端面には置き台が固定的に取り付けられ、前記置き台の頂部端面には総起動ボタンが設置され、前記総起動ボタンの右側にはページめくりボタンが設置され、前記装置筐体の頂部端面のうち前記ページめくりボタンの右側には照明ランプが固定的に取り付けられ、前記置き台と前記装置筐体との間には左右対称的な挟み作動溝が貫通し設置され、左右の前記挟み作動溝にはラッチが左右対称的に固定的に取り付けられ、前記挟み作動溝の中には挟み支持ハウジングが左右対称的にスライドできるように係合し取り付けられ、左右の前記挟み支持ハウジングの中には前記第一挟み連接棒がヒンジで係合し取り付けられ、左右の前記第一挟み連接棒の相対側には前記クリップが左右対称的にヒンジで係合し取り付けられ、左右の前記第一挟み連接棒の離れている側には前記第二挟み連接棒が左右対称的にヒンジで取り付けられ、左側の前記第二挟み連接棒と前記スライド揺動リンクとがヒンジで係合し取り付けられ、右側の前記第二挟み連接棒と前記挟みヒンジ連結台とがヒンジで係合される。
【発明の効果】
【０００９】
本発明の有益的な効果は：本発明は構造が簡単で、操作が便利で、取り換え機構により伝達される動力を断続的に伝達でき、電磁石が動力伝達の断続を制御し、左右対称式の設置によりページを前または後へめくり、カムを設置することで最後までページをめくると最初の位置へ復帰でき、ページめくり機構がモーターを独立的に使用しめくりを制御し、紙を二つのめくりチューブの間に巻き込んでページをめくり、挟み機構がカムにより駆動され、読んでいる時に本が落下することを防止でき、また装置全体が軽くて他のデスクや本棚と合致することができ、占用する空間が小さく、読みやすく、普及する価値がある。
【図面の簡単な説明】
【００１０】
【図１】図１は本発明の全体構成図
【図２】図２は図１のＡ―Ａ方向の断面構造図
【図３】図３は図１の上面構造図
【図４】図４は図１のＢ方向の構造図
【図５】図５は図１のＣ―Ｃ方向の断面構造図
【図６】図６は図２のＤの拡大図
【発明を実施するための形態】
【００１１】
下記に図１〜６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１〜６が示すように、本発明の多機能読書装置は、取り換え機構を含み、前記取り換え機構が第一モーター１０４と制御作動チャンバ１２３とを含み、前記制御作動チャンバ１２３の中には第一伝動軸１０２が回転できるように係合し取り付けられ、前記第一伝動軸１０２の後側端面には第一クラッチ１３５が固定的に取り付けられ、前記制御作動チャンバ１２３の左右両側には電磁作動チャンバ１２４が設置され、前記電磁作動チャンバ１２４の一つの側壁の中には電磁石１２５が設置され、前記電磁石１２５と、前記電磁作動チャンバ１２４と前記制御作動チャンバ１２３との間にスライドできるように係合し取り付けられる永久磁石１２７とが吸引し合い、前記制御作動チャンバ１２３の中に回転できるように係合し取り付けられる第二クラッチ１３１を前記第一クラッチ１３５と噛合させ、前記第一モーター１０４が前記第一クラッチ１３５と前記第二クラッチ１３１とを駆動し回転させ、一周回転した後、前記永久磁石１２７と前記電磁石１２５とが吸引し合わなくなり、これにより前記第二クラッチ１３１と前記第一クラッチ１３５とが噛み合わずに伝動を絶え、前記取り換え機構の右側にはページめくり機構が設置され、前記ページめくり機構がスイングカム１１８を含み、前記スイングカム１１８が回転して前記スイングカム１１８とスライドできるように係合し取り付けられる揺動リンク１１２をスイングさせ、前記ページめくり機構がまた反転作動筐体１５０とめくり軸支持ブロック１５５を含み、前記揺動リンク１１２がスイングし前記反転作動筐体１５０と前記めくり軸支持ブロック１５５とを共にスイングさせ、前記反転作動筐体１５０と前記めくり軸支持ブロック１５５との間にはめくりチューブ１７１が回転できるように係合し取り付けられ、前記めくりチューブ１７１が前記反転作動筐体１５０の内部に固定的に取り付けられる第二モーター１７０により駆動されて回転し、前記取り換え機構の上側には挟み機構が設置され、前記挟み機構がプッシュカム１６５と第二挟み連接棒１４４とを含み、これにより前記プッシュカム１６５を駆動して回転させて前記第二挟み連接棒１４４を駆動し上下に移動させ、第一伝動作動チャンバ１１４が上下に移動し第一挟み連接棒１４７をスイングさせ、前記第一挟み連接棒１４７がクリップ１４９を駆動し上下に移動させ、本のページを固定または緩める。
【００１３】
有益なまた例を示すように、前記取り換え機構が装置筐体１００を含み、前記装置筐体１００の中にはメイン伝動作動チャンバ１０１が設置され、前記メイン伝動作動チャンバ１０１の前側内壁の中には前記第一モーター１０４が固定的に取り付けられ、前記第一モーター１０４の後側出力軸の後側端面がメイン伝動軸１０５と固定的に連結され、前記メイン伝動軸１０５の後側端面にはメイン伝動歯車１０６が固定的に取り付けられ、前記メイン伝動作動チャンバ１０１の後側には前記制御作動チャンバ１２３が設置され、前記メイン伝動作動チャンバ１０１の前後内壁の間には前記制御作動チャンバ１２３の前側内壁を貫通する第一伝動軸１０２が回転できるように係合し取り付けられ、前記第一伝動軸１０２には滑り歯車１０３が固定的に取り付けられ、前記滑り歯車１０３と前記メイン伝動歯車１０６とが噛合し、前記第一伝動軸１０２の後側端面には前記第一クラッチ１３５が固定的に取り付けられ、前記第一伝動軸１０２において前記第一クラッチ１３５の前側端面にはばね支持ブッシング１３６がスライドできるように係合し取り付けられ、前記ばね支持ブッシング１３６にはスライドブッシング１３７がスライドできるように係合し取り付けられ、前記スライドブッシング１３７が前記装置筐体１００と回転できるように係合され、前記制御作動チャンバ１２３の後側には前記第一伝動作動チャンバ１１４が設置され、前記第一伝動作動チャンバ１１４の前後内壁の間には前記制御作動チャンバ１２３の後側内壁を貫通する第二伝動軸１２１が回転できるように係合し取り付けられ、前記第二伝動軸１２１の前側端面には前記第二クラッチ１３１が固定的に取り付けられ、前記第二クラッチ１３１が前記第一クラッチ１３５と噛合でき、前記第二クラッチ１３１の中には伝動噛合作動チャンバ１３０が設置され、前記伝動噛合作動チャンバ１３０には前記第二クラッチ１３１が設置され、前記伝動噛合作動チャンバ１３０の中には前記第二クラッチ１３１の前側端面を貫通する支えヘッド１３２がスライドできるように係合し取り付けられ、前記支えヘッド１３２の凸台の前側端面と前記第二クラッチ１３１の後側内壁との間には第一スラストスプリング１３３が固定的に取り付けられ、前記制御作動チャンバ１２３の左右両側には前記電磁作動チャンバ１２４が対称的に設置され、左側の前記電磁作動チャンバ１２４に蓄電池１６２が設置され、前記電磁作動チャンバ１２４の一つの側壁の中には制御プッシュヘッド１２８がスライドできるように取り付けられ、前記制御プッシュヘッド１２８の一つの側には前記永久磁石１２７が固定的に取り付けられ、前記永久磁石１２７の一つの側には第二スラストスプリング１２６が固定的に取り付けられ、前記第二スラストスプリング１２６の一つの側には前記電磁石１２５が固定的に取り付けられ、前記第二伝動軸１２１には第一プーリ１２２が固定的に取り付けられ、前記第一伝動作動チャンバ１１４の前側には第二伝動作動チャンバ１０９が設置され、前記第二伝動作動チャンバ１０９と前記第一伝動作動チャンバ１１４との間には第一カム軸１１６が回転できるように係合し取り付けられ、前記第一カム軸１１６には第二プーリ１１９が固定的に取り付けられ、前記第二プーリ１１９と前記第一プーリ１２２との間には第一ベルト１２０が取り付けられ、前記第一カム軸１１６のうち前記第二プーリ１１９の後側端面には第三プーリ１１５が固定的に取り付けられ、前記第一カム軸１１６のうち前記第二伝動作動チャンバ１０９の中にはスイングカム１１８が固定的に取り付けられ、これにより第一モーター１０４を起動させるとき、第一モーター１０４が回転しメイン伝動歯車１０６を駆動し回転させ、メイン伝動歯車１０６が回転し滑り歯車１０３を駆動し回転させ、滑り歯車１０３が回転し第一クラッチ１３５を駆動し回転させ、電磁石１２５に電流が通すとき、永久磁石１２７が吸い寄せられ、制御プッシュヘッド１２８を駆動し両側に移動させ、支えヘッド１３２を駆動し引っ込ませ、第一クラッチ１３５を第二クラッチ１３１に向かって移動させ、最後に第二クラッチ１３１と噛合させ、第一クラッチ１３５が第二クラッチ１３１を駆動し回転させ、第二クラッチ１３１が回転し第一プーリ１２２を駆動し回転させ、第一プーリ１２２が回転し第二プーリ１１９と第三プーリ１１５とを駆動し回転させ、第二プーリ１１９と第三プーリ１１５とが回転し第一カム軸１１６を駆動し回転させ、第一カム軸１１６が回転しスイングカム１１８を駆動し回転させ、動力の伝達を断続的に制御することができる。
【００１４】
有益なまた例を示すように、前記ページめくり機構は前記第二伝動作動チャンバ１０９の前後内壁の間に回転できるように係合し取り付けられ、且つ前記装置筐体１００の前後端面を貫通する揺動リンク軸１０８を含み、前記揺動リンク軸１０８にはスイングロッド１１０が固定的に取り付けられ、前記スイングロッド１１０の右側末端には移動連接棒１１１がヒンジで取り付けられ、前記移動連接棒１１１の下側末端には前記揺動リンク１１２がヒンジで取り付けられ、前記第二伝動作動チャンバ１０９の底壁には回転ヒンジ連結台１３９が固定的に取り付けられ、前記回転ヒンジ連結台１３９と前記揺動リンク１１２とがヒンジで係合され、前記揺動リンク１１２の左側末端にはスライドローラー１１７がヒンジで取り付けられ、前記スライドローラー１１７と前記スイングカム１１８とがスライドできるように係合され、前記揺動リンク軸１０８の前側端面には支持スイングアーム１０７が固定的に取り付けられ、前記支持スイングアーム１０７の頂端の後側端面には前記めくり軸支持ブロック１５５が固定的に取り付けられ、前記揺動リンク軸１０８の後側端面にはスイングアーム１１３が固定的に取り付けられ、前記スイングアーム１１３の頂部の前側端面には前記反転作動筐体１５０がスライドできるように係合し取り付けられ、前記スイングアーム１１３の中にはスライド作動チャンバ１７３が設置され、前記反転作動筐体１５０の頂部端面と前記スライド作動チャンバ１７３の頂壁の中には第三スラストスプリング１７４が固定的に取り付けられ、前記反転作動筐体１５０の中にはめくり伝動作動チャンバ１５６が設置され、前記めくり伝動作動チャンバ１５６の後側内壁の中には第二モーター１７０が固定的に取り付けられ、前記第二モーター１７０の前側出力軸の前側端面にはめくりメイン伝動軸１５３が固定的に連結され、前記めくりメイン伝動軸１５３の前側端面にはめくりメイン伝動歯車１５１が固定的に取り付けられ、前記反転作動筐体１５０と前記めくり軸支持ブロック１５５との間には前記めくり伝動作動チャンバ１５６の前側内壁を貫通するめくり軸１５４が左右対称的に回転できるように係合し取り付けられ、左右の前記めくり軸１５４の後側端面にはめくり伝動歯車１５２が左右対称的に固定的に取り付けられ、左右の前記めくり伝動歯車１５２と前記めくりメイン伝動歯車１５１とが噛合し、左右の前記めくり軸１５４には前記めくりチューブ１７１が固定的に取り付けられ、これによりスイングカム１１８が回転し揺動リンク１１２を駆動しスイングさせるとき、揺動リンク１１２がスイングしスイングロッド１１０を駆動しスイングさせ、スイングロッド１１０がスイングし支持スイングアーム１０７とスイングアーム１１３とを駆動しスイングさせ、支持スイングアーム１０７とスイングアーム１１３とがスイングしめくりチューブ１７１を駆動しスイングさせ、第二モーター１７０を起動し、第二モーター１７０がめくり伝動歯車１５２を駆動し回転させ、めくり伝動歯車１５２が回転しめくりチューブ１７１を駆動し回転させ、めくりチューブ１７１が回転し紙をめくり、本のページをめくる。
【００１５】
有益なまた例を示すように、前記挟み機構が前記第一伝動作動チャンバ１１４の上方に位置する第三伝動作動チャンバ１７５を含み、前記第三伝動作動チャンバ１７５の前後側端面には第二カム軸１６８が回転できるように係合し取り付けられ、前記第二カム軸１６８には第四プーリ１６６が固定的に取り付けられ、前記第四プーリ１６６と前記第三プーリ１１５との間には第二ベルト１６７が伝動し係合し取り付けられ、前記第二カム軸１６８のうち前記第四プーリ１６６の後側には前記プッシュカム１６５が固定的に取り付けられ、前記第三伝動作動チャンバ１７５の左側内壁の中には第一ヒンジ連結台１６３が固定的に取り付けられ、前記第三伝動作動チャンバ１７５の右側内壁の中には第二ヒンジ連結台１４０が固定的に取り付けられ、前記第一ヒンジ連結台１６３にはスライド揺動リンク１６４がヒンジで連結され、前記スライド揺動リンク１６４と前記プッシュカム１６５とがスライドできるように係合され、前記スライド揺動リンク１６４の右側末端には連結揺動リンク１７２がヒンジで係合し取り付けられ、前記連結揺動リンク１７２の右側末端と前記第二ヒンジ連結台１４０とがヒンジで係合され、前記連結揺動リンク１７２には挟みヒンジ連結台１４１が固定的に取り付けられ、前記装置筐体１００の頂部端面には置き台１６１が固定的に取り付けられ、前記置き台１６１の頂部端面には総起動ボタン１６０が設置され、前記総起動ボタン１６０の右側にはページめくりボタン１５９が設置され、前記装置筐体１００の頂部端面のうち前記ページめくりボタン１５９の右側には照明ランプ１５７が固定的に取り付けられ、前記置き台１６１と前記装置筐体１００との間には左右対称的な挟み作動溝１４５が貫通し設置され、左右の前記挟み作動溝１４５にはラッチ１４６が左右対称的に固定的に取り付けられ、前記挟み作動溝１４５の中には挟み支持ハウジング１４３が左右対称的にスライドできるように係合し取り付けられ、左右の前記挟み支持ハウジング１４３の中には前記第一挟み連接棒１４７がヒンジで係合し取り付けられ、左右の前記第一挟み連接棒１４７の相対側には前記クリップ１４９が左右対称的にヒンジで係合し取り付けられ、左右の前記第一挟み連接棒１４７の離れている側には前記第二挟み連接棒１４４が左右対称的にヒンジで取り付けられ、左側の前記第二挟み連接棒１４４と前記スライド揺動リンク１６４とがヒンジで係合し取り付けられ、右側の前記第二挟み連接棒１４４と前記挟みヒンジ連結台１４１とがヒンジで係合され、これにより第三プーリ１１５が回転し第四プーリ１６６とプッシュカム１６５とを駆動し回転させるとき、プッシュカム１６５が回転しスライド揺動リンク１６４と連結揺動リンク１７２とを駆動しスイングさせ、スライド揺動リンク１６４と連結揺動リンク１７２とがスイングし第二挟み連接棒１４４を駆動し上下に移動させ、第二挟み連接棒１４４が上下に移動しクリップ１４９に駆動し挟みまたは放しをさせる。
【００１６】
使用するとき、総起動ボタン１６０を押し、第一モーター１０４が起動して第一伝動軸１０２を駆動し回転させ、電磁石１２５が永久磁石１２７との吸い寄せを制御し、第二クラッチ１３１と第一クラッチ１３５との間の噛合または離脱を制御し、第二クラッチ１３１と第一クラッチ１３５とが噛合した後に一周回転し、また緩めて第二クラッチ１３１を制御し断続的に回転させ、第二クラッチ１３１が回転しスイングカム１１８とプッシュカム１６５とを駆動し回転させ、スイングカム１１８がめくりチューブ１７１を左右にスイングさせ、第二モーター１７０を起動し、第二モーター１７０がめくりチューブ１７１を駆動し回転させ、紙をめくりページをめくり、プッシュカム１６５が回転し第二挟み連接棒１４４を上下に移動させ、これによりクリップ１４９が上下に移動し挟みと放し動作を行う。
【００１７】
本発明の有益的な効果は：本発明は構造が簡単で、操作が便利で、取り換え機構により伝達される動力を断続的に伝達でき、電磁石が動力伝達の断続を制御し、左右対称式の設置によりページを前または後へめくり、カムを設置することで最後までページをめくると最初の位置へ復帰でき、ページめくり機構がモーターを独立的に使用しめくりを制御し、紙を二つのめくりチューブの間に巻き込んでページをめくり、挟み機構がカムにより駆動され、読んでいる時に本が落下することを防止でき、また装置全体が軽くて他のデスクや本棚と合致することができ、占用する空間が小さく、読みやすく、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバが設置され、前記電磁作動チャンバの一つの側壁の中には電磁石が設置され、前記電磁石と、前記電磁作動チャンバと前記制御作動チャンバとの間にスライドできるように係合し取り付けられる永久磁石とが吸引し合い、前記制御作動チャンバの中に回転できるように係合し取り付けられる第二クラッチを前記第一クラッチと噛合させ、前記第一モーターが前記第一クラッチと前記第二クラッチとを駆動し回転させ、一周回転した後、前記永久磁石と前記電磁石とが吸引し合わなくなり、これにより前記第二クラッチと前記第一クラッチとが噛み合わずに伝動を絶え、前記取り換え機構の右側にはページめくり機構が設置され、前記ページめくり機構がスイングカムを含み、前記スイングカムが回転して前記スイングカムとスライドできるように係合し取り付けられる揺動リンクをスイングさせ、前記ページめくり機構がまた反転作動筐体とめくり軸支持ブロックを含み、前記揺動リンクがスイングし前記反転作動筐体と前記めくり軸支持ブロックとを共にスイングさせ、前記反転作動筐体と前記めくり軸支持ブロックとの間にはめくりチューブが回転できるように係合し取り付けられ、前記めくりチューブが前記反転作動筐体の内部に固定的に取り付けられる第二モーターにより駆動されて回転し、前記取り換え機構の上側には挟み機構が設置され、前記挟み機構がプッシュカムと第二挟み連接棒とを含み、これにより前記プッシュカムを駆動して回転させて前記第二挟み連接棒を駆動し上下に移動させ、第一伝動作動チャンバが上下に移動し第一挟み連接棒をスイングさせ、前記第一挟み連接棒がクリップを駆動し上下に移動させ、
前記取り換え機構が装置筐体を含み、前記装置筐体の中にはメイン伝動作動チャンバが設置され、前記メイン伝動作動チャンバの前側内壁の中には前記第一モーターが固定的に取り付けられ、前記第一モーターの後側出力軸の後側端面がメイン伝動軸と固定的に連結され、前記メイン伝動軸の後側端面にはメイン伝動歯車が固定的に取り付けられ、前記メイン伝動作動チャンバの後側には前記制御作動チャンバが設置され、前記メイン伝動作動チャンバの前後内壁の間には前記制御作動チャンバの前側内壁を貫通する第一伝動軸が回転できるように係合し取り付けられ、前記第一伝動軸には滑り歯車が固定的に取り付けられ、前記滑り歯車と前記メイン伝動歯車とが噛合し、前記第一伝動軸の後側端面には前記第一クラッチが固定的に取り付けられ、前記第一伝動軸において前記第一クラッチの前側端面にはばね支持ブッシングがスライドできるように係合し取り付けられ、前記ばね支持ブッシングにはスライドブッシングがスライドできるように係合し取り付けられ、前記スライドブッシングが前記装置筐体と回転できるように係合され、前記制御作動チャンバの後側には前記第一伝動作動チャンバが設置され、前記第一伝動作動チャンバの前後内壁の間には前記制御作動チャンバの後側内壁を貫通する第二伝動軸が回転できるように係合し取り付けられ、前記第二伝動軸の前側端面には前記第二クラッチが固定的に取り付けられ、前記第二クラッチが前記第一クラッチと噛合でき、前記第二クラッチの中には伝動噛合作動チャンバが設置され、前記伝動噛合作動チャンバの中には前記第二クラッチの前側端面を貫通する支えヘッドがスライドできるように係合し取り付けられ、前記支えヘッドの凸台の前側端面と前記第二クラッチの後側内壁との間には第一スラストスプリングが固定的に取り付けられ、前記制御作動チャンバの左右両側には前記電磁作動チャンバが対称的に設置され、左側の前記電磁作動チャンバに蓄電池が設置され、前記電磁作動チャンバの一つの側壁の中には制御プッシュヘッドがスライドできるように取り付けられ、前記制御プッシュヘッドの一つの側には前記永久磁石が固定的に取り付けられ、前記永久磁石の一つの側には第二スラストスプリングが固定的に取り付けられ、前記第二スラストスプリングの一つの側には前記電磁石が固定的に取り付けられ、前記第二伝動軸には第一プーリが固定的に取り付けられ、前記第一伝動作動チャンバの前側には第二伝動作動チャンバが設置され、前記第二伝動作動チャンバと前記第一伝動作動チャンバとの間には第一カム軸が回転できるように係合し取り付けられ、前記第一カム軸には第二プーリが固定的に取り付けられ、前記第二プーリと前記第一プーリとの間には第一ベルトが取り付けられ、前記第一カム軸のうち前記第二プーリの後側端面には第三プーリが固定的に取り付けられ、前記第一カム軸のうち前記第二伝動作動チャンバの中にはスイングカムが固定的に取り付けられ、
前記ページめくり機構は前記第二伝動作動チャンバの前後内壁の間に回転できるように係合し取り付けられ、且つ前記装置筐体の前後端面を貫通する揺動リンク軸を含み、前記揺動リンク軸にはスイングロッドが固定的に取り付けられ、前記スイングロッドの右側末端には移動連接棒がヒンジで取り付けられ、前記移動連接棒の下側末端には前記揺動リンクがヒンジで取り付けられ、前記第二伝動作動チャンバの底壁には回転ヒンジ連結台が固定的に取り付けられ、前記回転ヒンジ連結台と前記揺動リンクとがヒンジで係合され、前記揺動リンクの左側末端にはスライドローラーがヒンジで取り付けられ、前記スライドローラーと前記スイングカムとがスライドできるように係合され、前記揺動リンク軸の前側端面には支持スイングアームが固定的に取り付けられ、前記支持スイングアームの頂端の後側端面には前記めくり軸支持ブロックが固定的に取り付けられ、前記揺動リンク軸の後側端面にはスイングアームが固定的に取り付けられ、前記スイングアームの頂部の前側端面には前記反転作動筐体がスライドできるように係合し取り付けられ、前記スイングアームの中にはスライド作動チャンバが設置され、前記反転作動筐体の頂部端面と前記スライド作動チャンバの頂壁の中には第三スラストスプリングが固定的に取り付けられ、前記反転作動筐体の中にはめくり伝動作動チャンバが設置され、前記めくり伝動作動チャンバの後側内壁の中には第二モーターが固定的に取り付けられ、前記第二モーターの前側出力軸の前側端面にはめくりメイン伝動軸が固定的に連結され、前記めくりメイン伝動軸の前側端面にはめくりメイン伝動歯車が固定的に取り付けられ、前記反転作動筐体と前記めくり軸支持ブロックとの間には前記めくり伝動作動チャンバの前側内壁を貫通するめくり軸が左右対称的に回転できるように係合し取り付けられ、左右の前記めくり軸の後側端面にはめくり伝動歯車が左右対称的に固定的に取り付けられ、左右の前記めくり伝動歯車と前記めくりメイン伝動歯車とが噛合し、左右の前記めくり軸には前記めくりチューブが固定的に取り付けられ、
前記挟み機構が前記第一伝動作動チャンバの上方に位置する第三伝動作動チャンバを含み、前記第三伝動作動チャンバの前後側端面には第二カム軸が回転できるように係合し取り付けられ、前記第二カム軸には第四プーリが固定的に取り付けられ、前記第四プーリと前記第三プーリとの間には第二ベルトが伝動し係合し取り付けられ、前記第二カム軸のうち前記第四プーリの後側には前記プッシュカムが固定的に取り付けられ、前記第三伝動作動チャンバの左側内壁の中には第一ヒンジ連結台が固定的に取り付けられ、前記第三伝動作動チャンバの右側内壁の中には第二ヒンジ連結台が固定的に取り付けられ、前記第一ヒンジ連結台にはスライド揺動リンクがヒンジで連結され、前記スライド揺動リンクと前記プッシュカムとがスライドできるように係合され、前記スライド揺動リンクの右側末端には連結揺動リンクがヒンジで係合し取り付けられ、前記連結揺動リンクの右側末端と前記第二ヒンジ連結台とがヒンジで係合され、前記連結揺動リンクには挟みヒンジ連結台が固定的に取り付けられ、前記装置筐体の頂部端面には置き台が固定的に取り付けられ、前記置き台の頂部端面には総起動ボタンが設置され、前記総起動ボタンの右側にはページめくりボタンが設置され、前記装置筐体の頂部端面のうち前記ページめくりボタンの右側には照明ランプが固定的に取り付けられ、前記置き台と前記装置筐体との間には左右対称的な挟み作動溝が貫通し設置され、左右の前記挟み作動溝にはラッチが左右対称的に固定的に取り付けられ、前記挟み作動溝の中には挟み支持ハウジングが左右対称的にスライドできるように係合し取り付けられ、左右の前記挟み支持ハウジングの中には前記第一挟み連接棒がヒンジで係合し取り付けられ、左右の前記第一挟み連接棒の相対側には前記クリップが左右対称的にヒンジで係合し取り付けられ、左右の前記第一挟み連接棒の離れている側には前記第二挟み連接棒が左右対称的にヒンジで取り付けられ、左側の前記第二挟み連接棒と前記スライド揺動リンクとがヒンジで係合し取り付けられ、右側の前記第二挟み連接棒と前記挟みヒンジ連結台とがヒンジで係合されることを特徴とする多機能読書装置。
【手続補正２】
【補正対象書類名】明細書
【補正対象項目名】全文
【補正方法】変更
【補正の内容】
【発明の詳細な説明】
【技術分野】
【０００１】
本発明は教育教具技術分野を取り上げて、具体的には多機能読書装置である。
【背景技術】
【０００２】
現在、ペーパーレス読書が好きな人が増えている一方、紙の本を読む人はまだ多くいるが、紙の本を読むとき取ることと置くこととが便利ではなく、既存の読書補助装置が重く、占用する空間が大きく、ページをめくるとき効果が良くなく、読者の読書速度と気分に影響があり、従って、より簡潔な読書装置が必要となり、占用する空間が小さく、ロールを使用し紙を圧着することによりページめくりとスイングとを行うことができ、前にまたは後にページをめくる方式を選択することができ、人のページめくり作動を置き換え、人の疲労を解消する。
【先行技術文献】
【特許文献】
【０００３】
【特許文献１】中国特許出願公開第１０４５８６０８０号明細書
【発明の概要】
【発明が解決しようとする課題】
【０００４】
本発明の目的は多機能読書装置を提供し、それは上記の現在の技術中の問題を解決できる。
【課題を解決するための手段】
【０００５】
本発明の実施例による多機能読書装置は、取り換え機構を含み、前記取り換え機構が第一モーターと制御作動チャンバとを含み、前記制御作動チャンバの中には第一伝動軸が回転できるように係合し取り付けられ、前記第一伝動軸の後側端面には第一クラッチが固定的に取り付けられ、前記制御作動チャンバの左右両側には電磁作動チャンバが設置され、前記電磁作動チャンバの一つの側壁の中には電磁石が設置され、前記電磁石と、前記電磁作動チャンバと前記制御作動チャンバとの間にスライドできるように係合し取り付けられる永久磁石とが吸引し合い、前記制御作動チャンバの中に回転できるように係合し取り付けられる第二クラッチを前記第一クラッチと噛合させ、前記第一モーターが前記第一クラッチと前記第二クラッチとを駆動し回転させ、一周回転した後、前記永久磁石と前記電磁石とが吸引し合わなくなり、これにより前記第二クラッチと前記第一クラッチとが噛み合わずに伝動を絶え、前記取り換え機構の右側にはページめくり機構が設置され、前記ページめくり機構がスイングカムを含み、前記スイングカムが回転して前記スイングカムとスライドできるように係合し取り付けられる揺動リンクをスイングさせ、前記ページめくり機構がまた反転作動筐体とめくり軸支持ブロックを含み、前記揺動リンクがスイングし前記反転作動筐体と前記めくり軸支持ブロックとを共にスイングさせ、前記反転作動筐体と前記めくり軸支持ブロックとの間にはめくりチューブが回転できるように係合し取り付けられ、前記めくりチューブが前記反転作動筐体の内部に固定的に取り付けられる第二モーターにより駆動されて回転し、前記取り換え機構の上側には挟み機構が設置され、前記挟み機構がプッシュカムと第二挟み連接棒とを含み、これにより前記プッシュカムを駆動して回転させて前記第二挟み連接棒を駆動し上下に移動させ、第一伝動作動チャンバが上下に移動し第一挟み連接棒をスイングさせ、前記第一挟み連接棒がクリップを駆動し上下に移動させる。
【０００６】
更の技術プラン、前記取り換え機構が装置筐体を含み、前記装置筐体の中にはメイン伝動作動チャンバが設置され、前記メイン伝動作動チャンバの前側内壁の中には前記第一モーターが固定的に取り付けられ、前記第一モーターの後側出力軸の後側端面がメイン伝動軸と固定的に連結され、前記メイン伝動軸の後側端面にはメイン伝動歯車が固定的に取り付けられ、前記メイン伝動作動チャンバの後側には前記制御作動チャンバが設置され、前記メイン伝動作動チャンバの前後内壁の間には前記制御作動チャンバの前側内壁を貫通する第一伝動軸が回転できるように係合し取り付けられ、前記第一伝動軸には滑り歯車が固定的に取り付けられ、前記滑り歯車と前記メイン伝動歯車とが噛合し、前記第一伝動軸の後側端面には前記第一クラッチが固定的に取り付けられ、前記第一伝動軸において前記第一クラッチの前側端面にはばね支持ブッシングがスライドできるように係合し取り付けられ、前記ばね支持ブッシングにはスライドブッシングがスライドできるように係合し取り付けられ、前記スライドブッシングが前記装置筐体と回転できるように係合され、前記制御作動チャンバの後側には前記第一伝動作動チャンバが設置され、前記第一伝動作動チャンバの前後内壁の間には前記制御作動チャンバの後側内壁を貫通する第二伝動軸が回転できるように係合し取り付けられ、前記第二伝動軸の前側端面には前記第二クラッチが固定的に取り付けられ、前記第二クラッチが前記第一クラッチと噛合でき、前記第二クラッチの中には伝動噛合作動チャンバが設置され、前記伝動噛合作動チャンバの中には前記第二クラッチの前側端面を貫通する支えヘッドがスライドできるように係合し取り付けられ、前記支えヘッドの凸台の前側端面と前記第二クラッチの後側内壁との間には第一スラストスプリングが固定的に取り付けられ、前記制御作動チャンバの左右両側には前記電磁作動チャンバが対称的に設置され、左側の前記電磁作動チャンバに蓄電池が設置され、前記電磁作動チャンバの一つの側壁の中には制御プッシュヘッドがスライドできるように取り付けられ、前記制御プッシュヘッドの一つの側には前記永久磁石が固定的に取り付けられ、前記永久磁石の一つの側には第二スラストスプリングが固定的に取り付けられ、前記第二スラストスプリングの一つの側には前記電磁石が固定的に取り付けられ、前記第二伝動軸には第一プーリが固定的に取り付けられ、前記第一伝動作動チャンバの前側には第二伝動作動チャンバが設置され、前記第二伝動作動チャンバと前記第一伝動作動チャンバとの間には第一カム軸が回転できるように係合し取り付けられ、前記第一カム軸には第二プーリが固定的に取り付けられ、前記第二プーリと前記第一プーリとの間には第一ベルトが取り付けられ、前記第一カム軸のうち前記第二プーリの後側端面には第三プーリが固定的に取り付けられ、前記第一カム軸のうち前記第二伝動作動チャンバの中にはスイングカムが固定的に取り付けられる。
【０００７】
更の技術プラン、前記ページめくり機構は前記第二伝動作動チャンバの前後内壁の間に回転できるように係合し取り付けられ、且つ前記装置筐体の前後端面を貫通する揺動リンク軸を含み、前記揺動リンク軸にはスイングロッドが固定的に取り付けられ、前記スイングロッドの右側末端には移動連接棒がヒンジで取り付けられ、前記移動連接棒の下側末端には前記揺動リンクがヒンジで取り付けられ、前記第二伝動作動チャンバの底壁には回転ヒンジ連結台が固定的に取り付けられ、前記回転ヒンジ連結台と前記揺動リンクとがヒンジで係合され、前記揺動リンクの左側末端にはスライドローラーがヒンジで取り付けられ、前記スライドローラーと前記スイングカムとがスライドできるように係合され、前記揺動リンク軸の前側端面には支持スイングアームが固定的に取り付けられ、前記支持スイングアームの頂端の後側端面には前記めくり軸支持ブロックが固定的に取り付けられ、前記揺動リンク軸の後側端面にはスイングアームが固定的に取り付けられ、前記スイングアームの頂部の前側端面には前記反転作動筐体がスライドできるように係合し取り付けられ、前記スイングアームの中にはスライド作動チャンバが設置され、前記反転作動筐体の頂部端面と前記スライド作動チャンバの頂壁の中には第三スラストスプリングが固定的に取り付けられ、前記反転作動筐体の中にはめくり伝動作動チャンバが設置され、前記めくり伝動作動チャンバの後側内壁の中には第二モーターが固定的に取り付けられ、前記第二モーターの前側出力軸の前側端面にはめくりメイン伝動軸が固定的に連結され、前記めくりメイン伝動軸の前側端面にはめくりメイン伝動歯車が固定的に取り付けられ、前記反転作動筐体と前記めくり軸支持ブロックとの間には前記めくり伝動作動チャンバの前側内壁を貫通するめくり軸が左右対称的に回転できるように係合し取り付けられ、左右の前記めくり軸の後側端面にはめくり伝動歯車が左右対称的に固定的に取り付けられ、左右の前記めくり伝動歯車と前記めくりメイン伝動歯車とが噛合し、左右の前記めくり軸には前記めくりチューブが固定的に取り付けられる。
【０００８】
更の技術プラン、前記挟み機構が前記第一伝動作動チャンバの上方に位置する第三伝動作動チャンバを含み、前記第三伝動作動チャンバの前後側端面には第二カム軸が回転できるように係合し取り付けられ、前記第二カム軸には第四プーリが固定的に取り付けられ、前記第四プーリと前記第三プーリとの間には第二ベルトが伝動し係合し取り付けられ、前記第二カム軸のうち前記第四プーリの後側には前記プッシュカムが固定的に取り付けられ、前記第三伝動作動チャンバの左側内壁の中には第一ヒンジ連結台が固定的に取り付けられ、前記第三伝動作動チャンバの右側内壁の中には第二ヒンジ連結台が固定的に取り付けられ、前記第一ヒンジ連結台にはスライド揺動リンクがヒンジで連結され、前記スライド揺動リンクと前記プッシュカムとがスライドできるように係合され、前記スライド揺動リンクの右側末端には連結揺動リンクがヒンジで係合し取り付けられ、前記連結揺動リンクの右側末端と前記第二ヒンジ連結台とがヒンジで係合され、前記連結揺動リンクには挟みヒンジ連結台が固定的に取り付けられ、前記装置筐体の頂部端面には置き台が固定的に取り付けられ、前記置き台の頂部端面には総起動ボタンが設置され、前記総起動ボタンの右側にはページめくりボタンが設置され、前記装置筐体の頂部端面のうち前記ページめくりボタンの右側には照明ランプが固定的に取り付けられ、前記置き台と前記装置筐体との間には左右対称的な挟み作動溝が貫通し設置され、左右の前記挟み作動溝にはラッチが左右対称的に固定的に取り付けられ、前記挟み作動溝の中には挟み支持ハウジングが左右対称的にスライドできるように係合し取り付けられ、左右の前記挟み支持ハウジングの中には前記第一挟み連接棒がヒンジで係合し取り付けられ、左右の前記第一挟み連接棒の相対側には前記クリップが左右対称的にヒンジで係合し取り付けられ、左右の前記第一挟み連接棒の離れている側には前記第二挟み連接棒が左右対称的にヒンジで取り付けられ、左側の前記第二挟み連接棒と前記スライド揺動リンクとがヒンジで係合し取り付けられ、右側の前記第二挟み連接棒と前記挟みヒンジ連結台とがヒンジで係合される。
【発明の効果】
【０００９】
本発明の有益的な効果は：本発明は構造が簡単で、操作が便利で、取り換え機構により伝達される動力を断続的に伝達でき、電磁石が動力伝達の断続を制御し、左右対称式の設置によりページを前または後へめくり、カムを設置することで最後までページをめくると最初の位置へ復帰でき、ページめくり機構がモーターを独立的に使用しめくりを制御し、紙を二つのめくりチューブの間に巻き込んでページをめくり、挟み機構がカムにより駆動され、読んでいる時に本が落下することを防止でき、また装置全体が軽くて他のデスクや本棚と合致することができ、占用する空間が小さく、読みやすく、普及する価値がある。
【図面の簡単な説明】
【００１０】
【図１】図１は本発明の全体構成図
【図２】図２は図１のＡ―Ａ方向の断面構造図
【図３】図３は図１の上面構造図
【図４】図４は図１のＢ方向の構造図
【図５】図５は図１のＣ―Ｃ方向の断面構造図
【図６】図６は図２のＤの拡大図
【発明を実施するための形態】
【００１１】
下記に図１〜６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１〜６が示すように、本発明の多機能読書装置は、取り換え機構を含み、前記取り換え機構が第一モーター１０４と制御作動チャンバ１２３とを含み、前記制御作動チャンバ１２３の中には第一伝動軸１０２が回転できるように係合し取り付けられ、前記第一伝動軸１０２の後側端面には第一クラッチ１３５が固定的に取り付けられ、前記制御作動チャンバ１２３の左右両側には電磁作動チャンバ１２４が設置され、前記電磁作動チャンバ１２４の一つの側壁の中には電磁石１２５が設置され、前記電磁石１２５と、前記電磁作動チャンバ１２４と前記制御作動チャンバ１２３との間にスライドできるように係合し取り付けられる永久磁石１２７とが吸引し合い、前記制御作動チャンバ１２３の中に回転できるように係合し取り付けられる第二クラッチ１３１を前記第一クラッチ１３５と噛合させ、前記第一モーター１０４が前記第一クラッチ１３５と前記第二クラッチ１３１とを駆動し回転させ、一周回転した後、前記永久磁石１２７と前記電磁石１２５とが吸引し合わなくなり、これにより前記第二クラッチ１３１と前記第一クラッチ１３５とが噛み合わずに伝動を絶え、前記取り換え機構の右側にはページめくり機構が設置され、前記ページめくり機構がスイングカム１１８を含み、前記スイングカム１１８が回転して前記スイングカム１１８とスライドできるように係合し取り付けられる揺動リンク１１２をスイングさせ、前記ページめくり機構がまた反転作動筐体１５０とめくり軸支持ブロック１５５を含み、前記揺動リンク１１２がスイングし前記反転作動筐体１５０と前記めくり軸支持ブロック１５５とを共にスイングさせ、前記反転作動筐体１５０と前記めくり軸支持ブロック１５５との間にはめくりチューブ１７１が回転できるように係合し取り付けられ、前記めくりチューブ１７１が前記反転作動筐体１５０の内部に固定的に取り付けられる第二モーター１７０により駆動されて回転し、前記取り換え機構の上側には挟み機構が設置され、前記挟み機構がプッシュカム１６５と第二挟み連接棒１４４とを含み、これにより前記プッシュカム１６５を駆動して回転させて前記第二挟み連接棒１４４を駆動し上下に移動させ、第一伝動作動チャンバ１１４が上下に移動し第一挟み連接棒１４７をスイングさせ、前記第一挟み連接棒１４７がクリップ１４９を駆動し上下に移動させ、本のページを固定または緩める。
【００１３】
有益なまた例を示すように、前記取り換え機構が装置筐体１００を含み、前記装置筐体１００の中にはメイン伝動作動チャンバ１０１が設置され、前記メイン伝動作動チャンバ１０１の前側内壁の中には前記第一モーター１０４が固定的に取り付けられ、前記第一モーター１０４の後側出力軸の後側端面がメイン伝動軸１０５と固定的に連結され、前記メイン伝動軸１０５の後側端面にはメイン伝動歯車１０６が固定的に取り付けられ、前記メイン伝動作動チャンバ１０１の後側には前記制御作動チャンバ１２３が設置され、前記メイン伝動作動チャンバ１０１の前後内壁の間には前記制御作動チャンバ１２３の前側内壁を貫通する第一伝動軸１０２が回転できるように係合し取り付けられ、前記第一伝動軸１０２には滑り歯車１０３が固定的に取り付けられ、前記滑り歯車１０３と前記メイン伝動歯車１０６とが噛合し、前記第一伝動軸１０２の後側端面には前記第一クラッチ１３５が固定的に取り付けられ、前記第一伝動軸１０２において前記第一クラッチ１３５の前側端面にはばね支持ブッシング１３６がスライドできるように係合し取り付けられ、前記ばね支持ブッシング１３６にはスライドブッシング１３７がスライドできるように係合し取り付けられ、前記スライドブッシング１３７が前記装置筐体１００と回転できるように係合され、前記制御作動チャンバ１２３の後側には前記第一伝動作動チャンバ１１４が設置され、前記第一伝動作動チャンバ１１４の前後内壁の間には前記制御作動チャンバ１２３の後側内壁を貫通する第二伝動軸１２１が回転できるように係合し取り付けられ、前記第二伝動軸１２１の前側端面には前記第二クラッチ１３１が固定的に取り付けられ、前記第二クラッチ１３１が前記第一クラッチ１３５と噛合でき、前記第二クラッチ１３１の中には伝動噛合作動チャンバ１３０が設置され、前記伝動噛合作動チャンバ１３０の中には前記第二クラッチ１３１の前側端面を貫通する支えヘッド１３２がスライドできるように係合し取り付けられ、前記支えヘッド１３２の凸台の前側端面と前記第二クラッチ１３１の後側内壁との間には第一スラストスプリング１３３が固定的に取り付けられ、前記制御作動チャンバ１２３の左右両側には前記電磁作動チャンバ１２４が対称的に設置され、左側の前記電磁作動チャンバ１２４に蓄電池１６２が設置され、前記電磁作動チャンバ１２４の一つの側壁の中には制御プッシュヘッド１２８がスライドできるように取り付けられ、前記制御プッシュヘッド１２８の一つの側には前記永久磁石１２７が固定的に取り付けられ、前記永久磁石１２７の一つの側には第二スラストスプリング１２６が固定的に取り付けられ、前記第二スラストスプリング１２６の一つの側には前記電磁石１２５が固定的に取り付けられ、前記第二伝動軸１２１には第一プーリ１２２が固定的に取り付けられ、前記第一伝動作動チャンバ１１４の前側には第二伝動作動チャンバ１０９が設置され、前記第二伝動作動チャンバ１０９と前記第一伝動作動チャンバ１１４との間には第一カム軸１１６が回転できるように係合し取り付けられ、前記第一カム軸１１６には第二プーリ１１９が固定的に取り付けられ、前記第二プーリ１１９と前記第一プーリ１２２との間には第一ベルト１２０が取り付けられ、前記第一カム軸１１６のうち前記第二プーリ１１９の後側端面には第三プーリ１１５が固定的に取り付けられ、前記第一カム軸１１６のうち前記第二伝動作動チャンバ１０９の中にはスイングカム１１８が固定的に取り付けられ、これにより第一モーター１０４を起動させるとき、第一モーター１０４が回転しメイン伝動歯車１０６を駆動し回転させ、メイン伝動歯車１０６が回転し滑り歯車１０３を駆動し回転させ、滑り歯車１０３が回転し第一クラッチ１３５を駆動し回転させ、電磁石１２５に電流が通すとき、永久磁石１２７が吸い寄せられ、制御プッシュヘッド１２８を駆動し両側に移動させ、支えヘッド１３２を駆動し引っ込ませ、第一クラッチ１３５を第二クラッチ１３１に向かって移動させ、最後に第二クラッチ１３１と噛合させ、第一クラッチ１３５が第二クラッチ１３１を駆動し回転させ、第二クラッチ１３１が回転し第一プーリ１２２を駆動し回転させ、第一プーリ１２２が回転し第二プーリ１１９と第三プーリ１１５とを駆動し回転させ、第二プーリ１１９と第三プーリ１１５とが回転し第一カム軸１１６を駆動し回転させ、第一カム軸１１６が回転しスイングカム１１８を駆動し回転させ、動力の伝達を断続的に制御することができる。
【００１４】
有益なまた例を示すように、前記ページめくり機構は前記第二伝動作動チャンバ１０９の前後内壁の間に回転できるように係合し取り付けられ、且つ前記装置筐体１００の前後端面を貫通する揺動リンク軸１０８を含み、前記揺動リンク軸１０８にはスイングロッド１１０が固定的に取り付けられ、前記スイングロッド１１０の右側末端には移動連接棒１１１がヒンジで取り付けられ、前記移動連接棒１１１の下側末端には前記揺動リンク１１２がヒンジで取り付けられ、前記第二伝動作動チャンバ１０９の底壁には回転ヒンジ連結台１３９が固定的に取り付けられ、前記回転ヒンジ連結台１３９と前記揺動リンク１１２とがヒンジで係合され、前記揺動リンク１１２の左側末端にはスライドローラー１１７がヒンジで取り付けられ、前記スライドローラー１１７と前記スイングカム１１８とがスライドできるように係合され、前記揺動リンク軸１０８の前側端面には支持スイングアーム１０７が固定的に取り付けられ、前記支持スイングアーム１０７の頂端の後側端面には前記めくり軸支持ブロック１５５が固定的に取り付けられ、前記揺動リンク軸１０８の後側端面にはスイングアーム１１３が固定的に取り付けられ、前記スイングアーム１１３の頂部の前側端面には前記反転作動筐体１５０がスライドできるように係合し取り付けられ、前記スイングアーム１１３の中にはスライド作動チャンバ１７３が設置され、前記反転作動筐体１５０の頂部端面と前記スライド作動チャンバ１７３の頂壁の中には第三スラストスプリング１７４が固定的に取り付けられ、前記反転作動筐体１５０の中にはめくり伝動作動チャンバ１５６が設置され、前記めくり伝動作動チャンバ１５６の後側内壁の中には第二モーター１７０が固定的に取り付けられ、前記第二モーター１７０の前側出力軸の前側端面にはめくりメイン伝動軸１５３が固定的に連結され、前記めくりメイン伝動軸１５３の前側端面にはめくりメイン伝動歯車１５１が固定的に取り付けられ、前記反転作動筐体１５０と前記めくり軸支持ブロック１５５との間には前記めくり伝動作動チャンバ１５６の前側内壁を貫通するめくり軸１５４が左右対称的に回転できるように係合し取り付けられ、左右の前記めくり軸１５４の後側端面にはめくり伝動歯車１５２が左右対称的に固定的に取り付けられ、左右の前記めくり伝動歯車１５２と前記めくりメイン伝動歯車１５１とが噛合し、左右の前記めくり軸１５４には前記めくりチューブ１７１が固定的に取り付けられ、これによりスイングカム１１８が回転し揺動リンク１１２を駆動しスイングさせるとき、揺動リンク１１２がスイングしスイングロッド１１０を駆動しスイングさせ、スイングロッド１１０がスイングし支持スイングアーム１０７とスイングアーム１１３とを駆動しスイングさせ、支持スイングアーム１０７とスイングアーム１１３とがスイングしめくりチューブ１７１を駆動しスイングさせ、第二モーター１７０を起動し、第二モーター１７０がめくり伝動歯車１５２を駆動し回転させ、めくり伝動歯車１５２が回転しめくりチューブ１７１を駆動し回転させ、めくりチューブ１７１が回転し紙をめくり、本のページをめくる。
【００１５】
有益なまた例を示すように、前記挟み機構が前記第一伝動作動チャンバ１１４の上方に位置する第三伝動作動チャンバ１７５を含み、前記第三伝動作動チャンバ１７５の前後側端面には第二カム軸１６８が回転できるように係合し取り付けられ、前記第二カム軸１６８には第四プーリ１６６が固定的に取り付けられ、前記第四プーリ１６６と前記第三プーリ１１５との間には第二ベルト１６７が伝動し係合し取り付けられ、前記第二カム軸１６８のうち前記第四プーリ１６６の後側には前記プッシュカム１６５が固定的に取り付けられ、前記第三伝動作動チャンバ１７５の左側内壁の中には第一ヒンジ連結台１６３が固定的に取り付けられ、前記第三伝動作動チャンバ１７５の右側内壁の中には第二ヒンジ連結台１４０が固定的に取り付けられ、前記第一ヒンジ連結台１６３にはスライド揺動リンク１６４がヒンジで連結され、前記スライド揺動リンク１６４と前記プッシュカム１６５とがスライドできるように係合され、前記スライド揺動リンク１６４の右側末端には連結揺動リンク１７２がヒンジで係合し取り付けられ、前記連結揺動リンク１７２の右側末端と前記第二ヒンジ連結台１４０とがヒンジで係合され、前記連結揺動リンク１７２には挟みヒンジ連結台１４１が固定的に取り付けられ、前記装置筐体１００の頂部端面には置き台１６１が固定的に取り付けられ、前記置き台１６１の頂部端面には総起動ボタン１６０が設置され、前記総起動ボタン１６０の右側にはページめくりボタン１５９が設置され、前記装置筐体１００の頂部端面のうち前記ページめくりボタン１５９の右側には照明ランプ１５７が固定的に取り付けられ、前記置き台１６１と前記装置筐体１００との間には左右対称的な挟み作動溝１４５が貫通し設置され、左右の前記挟み作動溝１４５にはラッチ１４６が左右対称的に固定的に取り付けられ、前記挟み作動溝１４５の中には挟み支持ハウジング１４３が左右対称的にスライドできるように係合し取り付けられ、左右の前記挟み支持ハウジング１４３の中には前記第一挟み連接棒１４７がヒンジで係合し取り付けられ、左右の前記第一挟み連接棒１４７の相対側には前記クリップ１４９が左右対称的にヒンジで係合し取り付けられ、左右の前記第一挟み連接棒１４７の離れている側には前記第二挟み連接棒１４４が左右対称的にヒンジで取り付けられ、左側の前記第二挟み連接棒１４４と前記スライド揺動リンク１６４とがヒンジで係合し取り付けられ、右側の前記第二挟み連接棒１４４と前記挟みヒンジ連結台１４１とがヒンジで係合され、これにより第三プーリ１１５が回転し第四プーリ１６６とプッシュカム１６５とを駆動し回転させるとき、プッシュカム１６５が回転しスライド揺動リンク１６４と連結揺動リンク１７２とを駆動しスイングさせ、スライド揺動リンク１６４と連結揺動リンク１７２とがスイングし第二挟み連接棒１４４を駆動し上下に移動させ、第二挟み連接棒１４４が上下に移動しクリップ１４９に駆動し挟みまたは放しをさせる。
【００１６】
使用するとき、総起動ボタン１６０を押し、第一モーター１０４が起動して第一伝動軸１０２を駆動し回転させ、電磁石１２５が永久磁石１２７との吸い寄せを制御し、第二クラッチ１３１と第一クラッチ１３５との間の噛合または離脱を制御し、第二クラッチ１３１と第一クラッチ１３５とが噛合した後に一周回転し、また緩めて第二クラッチ１３１を制御し断続的に回転させ、第二クラッチ１３１が回転しスイングカム１１８とプッシュカム１６５とを駆動し回転させ、スイングカム１１８がめくりチューブ１７１を左右にスイングさせ、第二モーター１７０を起動し、第二モーター１７０がめくりチューブ１７１を駆動し回転させ、紙をめくりページをめくり、プッシュカム１６５が回転し第二挟み連接棒１４４を上下に移動させ、これによりクリップ１４９が上下に移動し挟みと放し動作を行う。
【００１７】
本発明の有益的な効果は：本発明は構造が簡単で、操作が便利で、取り換え機構により伝達される動力を断続的に伝達でき、電磁石が動力伝達の断続を制御し、左右対称式の設置によりページを前または後へめくり、カムを設置することで最後までページをめくると最初の位置へ復帰でき、ページめくり機構がモーターを独立的に使用しめくりを制御し、紙を二つのめくりチューブの間に巻き込んでページをめくり、挟み機構がカムにより駆動され、読んでいる時に本が落下することを防止でき、また装置全体が軽くて他のデスクや本棚と合致することができ、占用する空間が小さく、読みやすく、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。